(57)【要約】  リール式クロージャ装置は、ハウジングと、引張部材と、ハウジング内に回転可能に配置されたスプールと、スプールの上方で軸方向に配置され、かつそれと動作可能に結合されている締め付け部品であって、締め付け部品の動作がスプールをハウジング内で回転させて引張部材をスプールの周りに巻き付ける、締め付け部品と、を含む。リール式クロージャ装置はまた、引張部材とは別個の連結部品であって、連結部品が引張部材に取り外し可能に固定されるように引張部材の遠位端部と摩擦係合する連結部品を含む。スプール部品は連結機構を含み、連結部品が引張部材をスプールに取り付けるように連結機構内に配置される。【選択図】図１
2019536581.tif 000002
【特許請求の範囲】
【請求項１】
物品を締め付けるためのリール式クロージャ装置であって、
内部領域を有するハウジング部品と、
引張部材と、
前記ハウジングの前記内部領域内に回転可能に配置されたスプール部品と、
前記スプール部品の軸方向上方に配置された締め付け部品であって、前記締め付け部品の操作により前記スプール部品が前記ハウジング部品の前記内部領域内で回転して前記引張部材を前記スプール部品の周りに巻き付けるように前記スプール部品と動作可能に連結された締め付け部品と、
前記引張部材とは別個の連結部品であって、前記連結部品が前記引張部材の周りに取り外し可能に固定されるように前記引張部材の遠位端部と摩擦係合する連結部品と、を含み、
前記スプール部品は連結機構を含み、前記連結部品が前記引張部材を前記スプールに取り付けるように前記連結機構内に配置される、リール式クロージャ装置。
【請求項２】
前記連結部品は、本体と、前記引張部材を前記連結部品と摩擦係合するように前記引張部材が挿入される少なくとも１つの開口部と、を含む、請求項１に記載のリール式クロージャ装置。
【請求項３】
前記連結部品の前記本体は、前記引張部材が挿入される少なくとも２つの開口部を含み、前記引張部材は、前記引張部材に結び目を作ることを必要とせずに、かつ前記引張部材の他の変更を必要とせずに、前記連結部品と摩擦係合する、請求項２に記載のリール式クロージャ装置。
【請求項４】
前記少なくとも１つの開口部は、前記引張部材の直径よりわずかに大きい直径を含む、請求項２に記載のリール式クロージャ装置。
【請求項５】
前記スプール部品の前記連結機構は、前記スプール部品の中央に配置された円筒体部材を完全に貫通して延在するチャネルを含み、前記連結部品を前記引張部材と摩擦係合させる前に、前記引張部材の前記遠位端部が前記チャネルを完全に貫通して挿入される、請求項１に記載のリール式クロージャ装置。
【請求項６】
前記連結部品は、前記引張部材と連結したときに、前記引張部材が前記スプール部品のチャネルを通って引き込まれて前記スプール部品から連結解除されるのを前記連結部品が防止するように、前記スプール部品のチャネルの最小直径よりも大きい、請求項５に記載のリール式クロージャ装置。
【請求項７】
前記連結部品は、前記引張部材が前記スプール部品のチャネル内に引き込まれたときに、前記連結部品が前記スプール部品の中央に配置された円筒体部材の外壁を越えて半径方向外側に延在しないように、十分に小さい、請求項６に記載のリール式クロージャ装置。
【請求項８】
前記連結部品は、前記連結部品が前記引張部材の両端にしっかりと固定されるように、前記引張部材の両端に摩擦係合するように構成され、前記連結部品が前記スプール部品の連結機構内に配置されるときに、前記引張部材の両端が前記スプール部品に取り付けられる、請求項１に記載のリール式クロージャ装置。
【請求項９】
前記連結部品は、前記連結部品が前記引張部材に固定された後に前記引張部材のトリミングまたは切断が必要とされないように、前記引張部材の前記遠位端部と摩擦係合する、請求項１に記載のリール式クロージャ装置。
【請求項１０】
リール式クロージャシステムの引張部材に固定可能な連結部品であって、
前記引張部材とは別個の本体と、
前記本体の周りに配置された少なくとも１つの開口部であって、前記引張部材の遠位端部が前記本体の前記開口部を通って挿入可能である、少なくとも１つの開口部と、を含み、
前記連結部品は、前記連結部品が前記引張部材の前記遠位端部と摩擦係合して前記連結部品を前記連結部品にしっかりと固定するように構成され、
前記連結部品は、前記引張部材に結び目を作ることを必要とせずに、かつ前記引張部材の他の変更を必要とせずに、前記引張部材と摩擦係合する、連結部品。
【請求項１１】
前記本体は、前記引張部材が挿入される少なくとも２つの開口部をさらに含み、前記連結部品は、前記連結部品が前記引張部材の両端にしっかりと固定されるように、前記引張部材の両端に摩擦係合するように構成される、請求項１０に記載の連結部品。
【請求項１２】
前記連結部品は、前記連結部品が前記引張部材に固定された後に前記引張部材のトリミングまたは切断が必要とされないように、前記引張部材の前記遠位端部と摩擦係合する、請求項１０に記載の連結部品。
【請求項１３】
前記少なくとも１つの開口部は、前記引張部材の直径よりわずかに大きい直径を含む、請求項１０に記載の連結部品。
【請求項１４】
前記リール式クロージャシステムは、前記引張部材を巻取り可能なスプール部品を含み、前記連結部品は前記スプール部品のチャネル内に配置可能であり、前記連結部品は、前記引張部材と連結したときに、前記引張部材が前記スプール部品のチャネルを通して引張られるのを前記連結部品が防止するように、前記スプール部品のチャネルの最小直径よりもサイズが大きい、請求項１０に記載の連結部品。
【請求項１５】
引張部材をリール式クロージャ装置と連結する方法であって、
前記リール式クロージャ装置のスプール部品のチャネルを通して前記引張部材を挿入するステップと、
前記引張部材の遠位端部を、前記引張部材とは別個の連結部品に連結するステップであって、前記連結部品は、前記引張部材の前記遠位端部と摩擦係合して前記連結部品を前記引張部材の前記遠位端部の周りに固定する、ステップと、
前記連結部品が前記チャネルと係合し、それによって前記引張部材が前記スプール部品のチャネルを通して引張られるのを防止するように、前記スプール部品のチャネルを通して前記引張部材を引き込むステップと、
を含む方法。
【請求項１６】
前記連結部品は、少なくとも１つの開口部を有する本体を含み、前記方法は、前記引張部材の前記遠位端部を前記連結部品と摩擦係合させるように前記開口部を通して前記引張部材の前記遠位端部を挿入するステップをさらに含み、前記連結部品は、前記引張部材に結び目を作ることを必要とせずに、かつ前記引張部材の他の変更を必要とせずに、前記引張部材と摩擦係合する、請求項１５に記載の方法。
【請求項１７】
前記本体は少なくとも２つの開口部をさらに含み、前記方法は、前記引張部材を前記連結部品と摩擦係合させるように前記本体の各開口部を通して前記引張部材の前記遠位端部を挿入するステップをさらに含む、請求項１６に記載の方法。
【請求項１８】
前記本体は少なくとも２つの開口部をさらに含み、前記方法は、前記連結部品が前記引張部材の両端部にしっかりと固定されるように、一方の開口部を通して前記引張部材の両端部を挿入するステップをさらに含む、請求項１６に記載の方法。
【請求項１９】
前記連結部品は、前記連結部品が前記引張部材に固定された後に前記引張部材のトリミングまたは切断が必要とされないように、前記引張部材の前記遠位端部と摩擦係合する、請求項１５に記載の方法。
【請求項２０】
前記連結部品が前記スプール部品の円筒体部材の外壁を越えて半径方向外側に延在しないように、前記引張部材は前記スプール部品の前記チャネル内に引き込まれている、請求項１５に記載の方法。
【請求項２１】
リール式クロージャシステムであって、
内部領域を画定するベース部材と、
前記ベース部材の前記内部領域内に配置可能であり、前記ベース部材と解放可能に連結可能であるハウジング部品と、
前記ハウジング部品内に回転可能に配置されたスプール部品であって、引張部材が前記スプール部品の周りに巻取り可能であるように構成されたスプール部品と、
前記ハウジング部品と回転可能に連結された締め付け部品であって、前記締め付け部品の操作により前記スプール部品が前記ハウジング部品内で回転して前記引張部材を前記スプール部品の周りに巻き付け、それによって物品を締め付けるように前記スプール部品と動作可能に連結された締め付け部品と、を含み、
前記ハウジング部品は、前記ハウジング部品を前記ベース部材の前記内部領域内に軸方向に挿入し、前記ハウジング部品を前記ベース部材に対して回転させることによって前記ベース部材と連結可能であり、
前記ハウジング部品は、前記ベース部材に対する前記ハウジング部品の回転を必要とせずに前記ベース部材から取り外し可能である、リール式クロージャシステム。
【請求項２２】
前記ハウジング部品に力を加えることにより前記ハウジング部品が前記ベース部材の前記内部領域から軸方向に移動して、前記ハウジング部品が前記ベース部品から取り外し可能である、請求項２１に記載のリール式クロージャシステム。
【請求項２３】
前記ベース部材の前記内部領域からの前記ハウジング部品の前記軸方向の移動は、前記ベース部材の少なくとも一部分の撓みにより達成される、請求項２２に記載のリール式クロージャシステム。
【請求項２４】
前記ベース部材は一対のポートまたはチャネルを含み、前記ハウジング部品に力を加えて前記ハウジング部品を前記ベース部材の前記内部領域から軸方向に移動させるように力印加ツールを前記一対のポートまたはチャネル内に配置可能である、請求項２２に記載のリール式クロージャシステム。
【請求項２５】
前記ベース部材の前記内部領域内に挿入可能な前記ハウジング部品の底端部は、半径方向に延在する複数のタブを含み、
前記ベース部材は、前記ハウジング部品が前記ベース部材の前記内部領域内に軸方向に挿入されることを可能にするように前記半径方向に延在するタブと整列する半径方向に延在する複数のチャネルを含み、
前記ベース部材に対する前記ハウジング部品の回転により、各半径方向に延在するタブが円周方向の溝またはチャネル内で移動して、前記ベース部材のリップまたは突起部の下に配置される、請求項２１に記載のリール式クロージャシステム。
【請求項２６】
前記ベース部材に対する前記ハウジング部品の逆回転を防止し、それによって、前記ハウジング部品を前記ベース部材の前記内部領域内に固定するために、前記ハウジング部品の半径方向に延在するタブのうちの少なくとも１つは、前記ベース部材の円周方向の溝またはチャネルのうちの１つの回転防止部材と機械的に係合するように構成される、請求項２５に記載のリール式クロージャシステム。
【請求項２７】
前記ベース部材および前記ハウジング部品は、前記ハウジング部品を前記ベース部材と連結するために、前記ハウジング部品がいくつかの定義された向きのうちの１つで前記ベース部材と整列しなければならないように構成される、請求項２１に記載のリール式クロージャシステム。
【請求項２８】
前記ベース部材および前記ハウジング部品は、前記ハウジング部品が前記ベース部材の前記内部領域内に前記いくつかの定義された向きのうちの１つ以外の向きで軸方向に挿入された場合に、前記ベース部材に対する前記ハウジング部品の回転を防止するように構成される、請求項２７に記載のリール式クロージャシステム。
【請求項２９】
リール式クロージャシステムであって、
内部領域を画定するベース部材と、
前記ベース部材の前記内部領域内に配置可能であり、前記ベース部材と解放可能に連結可能であるハウジング部品と、
前記ハウジング部品内に回転可能に配置されたスプール部品であって、引張部材が前記スプール部品の周りに巻取り可能であるように構成されたスプール部品と、
前記ハウジング部品と回転可能に連結された締め付け部品であって、前記締め付け部品の操作により前記スプール部品が前記ハウジング部品内で回転して前記引張部材を前記スプール部品の周りに巻き付けるように前記スプール部品と動作可能に連結された締め付け部品と、を含み、
前記ハウジング部品は、前記ハウジング部品を前記ベース部材の前記内部領域内に固定するように前記ベース部材に対して回転可能であり、
前記ハウジング部品は、前記ベース部材から前記ハウジング部品を取り外すために前記ベース部材に対して軸方向に移動可能である、リール式クロージャシステム。
【請求項３０】
前記ハウジング部品に力を加えたときに前記ハウジング部品が前記ベース部品に対して軸方向に移動可能であり、前記ハウジング部品が前記ベース部材から取り外されなければ、前記力は前記ハウジング部品に損傷を与えたであろう、請求項２９に記載のリール式クロージャシステム。
【請求項３１】
前記ベース部材に対する前記ハウジング部品の前記軸方向の移動は、前記ベース部材の少なくとも一部分の撓みを必要とする、請求項２９に記載のリール式クロージャシステム。
【請求項３２】
前記ベース部材は一対のポートまたはチャネルを含み、前記ハウジング部品に力を加えて前記ハウジング部品を前記ベース部材に対して軸方向に移動させるように力印加ツールを前記一対のポートまたはチャネル内に配置可能である、請求項２９に記載のリール式クロージャシステム。
【請求項３３】
前記ベース部材および前記ハウジング部品は、前記ハウジング部品が前記ベース部材と所定の向きに整列しない限り、前記ベース部材に対する前記ハウジング部品の回転を防止するように構成される、請求項２９に記載のリール式クロージャシステム。
【請求項３４】
リール式クロージャシステムの組み立て方法であって、
リール式クロージャシステムを提供するステップであって、前記リール式クロージャシステムは、
内部領域を画定するベース部材と、
ハウジング部品と、
前記ハウジング部品内に回転可能に配置されたスプール部品と、
前記ハウジング部品と回転可能に連結された締め付け部品であって、前記締め付け部品の操作時に前記スプール部品を前記ハウジング部品内で回転させるように前記スプール部品と動作可能に連結された締め付け部品と、を含む、ステップと、
前記ハウジング部品の底端部を前記ベース部材の前記内部領域内に軸方向に挿入するステップと、
前記ハウジング部品を前記ベース部材の周りに固定するために、前記ハウジング部品を前記ベース部材に対して回転させるステップと、を含み、
前記ハウジング部品は、前記ベース部材に対する前記ハウジング部品の逆回転を必要とせずに前記ベース部材から取り外し可能である、方法。
【請求項３５】
前記ハウジング部品に力を加えることにより前記ハウジング部品が前記ベース部材の前記内部領域から軸方向に移動して、前記ハウジング部品が前記ベース部品から取り外し可能である、請求項３４に記載の方法。
【請求項３６】
前記ベース部材に対する前記ハウジング部品の前記軸方向の移動は、前記ベース部材の少なくとも一部分の撓みを必要とする、請求項３５に記載の方法。
【請求項３７】
前記ベース部材は一対のポートまたはチャネルを含み、前記方法は、各ポートまたはチャネル内に力印加ツールを挿入し、前記力印加ツールにより前記ハウジング部品に力を加えて前記ハウジング部品を前記ベース部材に対して軸方向に移動させるステップをさらに含む、請求項３４に記載の方法。
【請求項３８】
前記ハウジング部品の前記底端部を前記ベース部材の前記内部領域内に軸方向に挿入するステップは、前記ハウジング部品の半径方向に延在する複数のタブを前記ベース部材の対応する半径方向に延在するチャネル内に挿入するステップを含み、
前記ベース部材に対する前記ハウジング部品の回転により、半径方向に延在する各タブが前記ベース部材のリップまたは突起部の下に移動する、請求項３４記載の方法。
【請求項３９】
前記ベース部材および前記ハウジング部品は、前記ハウジング部品を前記ベース部材と連結するために、前記ハウジング部品がいくつかの定義された向きのうちの１つで前記ベース部材と整列しなければならないように構成される、請求項３４に記載の方法。
【請求項４０】
前記ベース部材および前記ハウジング部品は、前記ハウジング部品が前記ベース部材の前記内部領域内に前記いくつかの定義された向きのうちの１つ以外の向きで軸方向に挿入された場合に、前記ベース部材に対する前記ハウジング部品の回転を防止するように構成される、請求項３９に記載の方法。
【請求項４１】
物品を締め付けるためのリール式クロージャ装置であって、
内部領域を有するハウジング部品と、
前記ハウジング部品の前記内部領域内に回転可能に配置されたスプール部品であって、引張部材が物品を締め付けるように前記スプール部品の周りに巻取り可能であるように構成されたスプール部品と、
前記スプール部品の軸方向上方に配置され、前記スプール部品の第２の方向の回転を防止しながら前記スプール部品が前記ハウジング部品の内部領域内で第１の方向に回転することができるように前記スプール部品と動作可能に連結された駆動部品と、
前記ハウジングと回転可能に連結され、前記駆動部品の軸方向に上方配置された締め付け部品であって、前記締め付け部品の操作によって前記スプール部品が前記ハウジング部品の内部領域内で前記第１の方向に回転して前記引張部材を前記スプール部品の周りに巻き付けるように前記駆動部品と連結された締め付け部品と、
前記スプール部品の軸方向下方に配置された連結部品であって、前記ハウジング部品の前記内部領域内ならびに前記スプール部品の開口部および前記駆動部品の開口部を通って軸方向上方に突出する中央ボスを有し、前記スプール部品および前記駆動部品が前記中央ボスの周りに回転可能であり、前記連結部品は、前記中央ボスから半径方向外側に延在し、前記ハウジング部品の底端部に取り付けられる一対のアームをさらに含む、連結部品と、を含み、
各アームの遠位端部は、前記一対のアームが前記ハウジング部品の前記底端部に取り付けられたときに、前記ハウジング部品の底縁部の周りに湾曲する上向きに曲がったリップまたはタブを含む、リール式クロージャ装置。
【請求項４２】
前記一対のアームのうちの各アームは、前記中央ボスと前記上向きに曲がったリップとの間に半径方向に延在する隙間を含む、請求項４１に記載のリール式クロージャ装置。
【請求項４３】
前記ハウジング部品の前記底縁部は、前記一対のアームが前記ハウジング部品の前記底端部に取り付けられたときに、軸方向に延在する各突起が対応するアームの半径方向に延在する隙間の間に位置するように構成される一対の軸方向に延在する突起を含む、請求項４２に記載のリール式クロージャ装置。
【請求項４４】
前記中央ボスは、前記駆動部品が前記中央ボスに対して軸方向上方に移動することを可能にするように構成され、かつ、前記駆動部品が前記スプール部品から連結解除される軸方向上昇位置に前記駆動部品を維持し、それによって、前記スプール部品が前記ハウジング部品の内部領域内で前記第２の方向に回転して、前記引張部材を前記スプール部品の周りからほどくことを可能にするようにさらに構成される、請求項４１に記載のリール式クロージャ装置。
【請求項４５】
前記中央ボスの頂端部は、前記駆動部品を前記軸方向上昇位置に維持するために前記駆動部品の前記開口部と係合する環状突起を含み、前記環状突起は、前記中央ボスに対する前記駆動部品の軸方向の移動により前記中央ボスが半径方向内側に撓むように前記駆動部品の開口部の直径よりも大きい直径を有する、請求項４４に記載のリール式クロージャ装置。
【請求項４６】
前記中央ボスは、軸方向に延在する隙間と、前記軸方向に延在する隙間内に配置された補強ばねと、を含み、前記補強ばねは、前記リール式クロージャ装置を延長して使用することにより前記中央ボスが変形するのを防止するために前記中央ボスを補強する、請求項４１に記載のリール式クロージャ装置。
【請求項４７】
前記補強ばねは、Ｕ字形構成を有する金属部品である、請求項４６に記載のリール式クロージャ装置。
【請求項４８】
前記締め付け部品は、本体を有する回転可能なノブと、第１のオーバーモールドと、第２のオーバーモールドと、を含み、前記第１および第２のオーバーモールドは、ユーザが前記ノブを握るのを助ける材料である、請求項４１に記載のリール式クロージャ装置。
【請求項４９】
リール式クロージャ装置であって、
内部領域を有するハウジングと、
前記ハウジングの前記内部領域内に回転可能に配置されたスプールと、
前記ハウジングと回転可能に連結された締め付け部材であって、前記締め付け部材の操作により前記スプールが前記ハウジング内で第１の方向に回転して前記引張部材を前記スプールの周りに巻き付けるように前記スプールと動作可能に連結された締め付け部材と、
前記スプールの軸方向下方に配置された連結部材であって、前記ハウジングの前記内部領域内に軸方向上方に突出する中央ボスを有し、かつ、前記中央ボスから半径方向外側に延在し、前記ハウジングの底端部に取り付けられた一対のアームを有する連結部材と、を含み、
各アームの遠位端部は、上方に湾曲し、前記一対のアームが前記ハウジングの前記底端部に取り付けられたときに前記ハウジングと取り外し可能に連結するリップまたはタブを含む、リール式クロージャ装置。
【請求項５０】
前記一対のアームのうちの各アームは、前記中央ボスと前記リップまたはタブとの間に半径方向に延在する隙間を含む、請求項４９に記載のリール式クロージャ装置。
【請求項５１】
前記ハウジングの前記底端部は、前記一対のアームが前記ハウジングの前記底端部に取り付けられたときに、軸方向に延在する各突起が対応するアームの半径方向に延在する隙間の間に位置するように構成される一対の軸方向に延在する突起を含む、請求項５０に記載のリール式クロージャ装置。
【請求項５２】
前記リール式クロージャ装置は、前記スプールの軸方向上方に配置され、前記スプールの第２の方向の回転を防止しながら前記スプールが前記ハウジングの内部領域内で第１の方向に回転することができるように前記スプールと動作可能に連結された駆動部材をさらに含み、前記駆動部材は、前記駆動部材を前記スプールから連結解除するように前記スプールに対して軸方向に移動可能であり、それによって前記スプールが前記ハウジングの内部領域内で前記第２の方向に回転して前記引張部材を前記スプールの周りからほどくことを可能にする、請求項４９に記載のリール式クロージャ装置。
【請求項５３】
前記中央ボスは、軸方向に延在する隙間と、前記軸方向に延在する隙間内に配置された補強ばねと、を含む、請求項４９に記載のリール式クロージャ装置。
【請求項５４】
前記補強ばねは金属部品である、請求項５３に記載のリール式クロージャ装置。
【請求項５５】
前記締め付け部材は、本体を有する回転可能なノブと、第１のオーバーモールドと、第２のオーバーモールドと、を含み、前記第１および第２のオーバーモールドは、ユーザが前記ノブを握るのを助ける材料である、請求項４９に記載のリール式クロージャ装置。
【請求項５６】
リール式クロージャ装置を組み立てる方法であって、
駆動部品を締め付け部品と連結するステップと、
前記駆動部品が前記ハウジング部品の内部領域に面するように、前記締め付け部品をハウジング部品の頂端部に連結するステップと、
前記スプール部品の頂端部が前記駆動部品の底面に面するように、前記ハウジング部品内にスプール部品を挿入するステップと、
前記連結部品の中央ボスが前記ハウジング部品の前記内部領域内に延在するように、連結部品を前記ハウジング部品の底端部に連結するステップと、を含み、
前記連結部品は、前記中央ボスから半径方向外側に延在し、前記ハウジング部品の前記底端部に取り付けられる一対のアームを含み、
各アームの遠位端部は、上方に湾曲し、前記一対のアームが前記ハウジング部品の前記底端部に取り付けられたときに前記ハウジング部品と取り外し可能に連結するリップまたはタブを含む、方法。
【請求項５７】
前記ハウジング部品内に前記スプール部品を挿入するステップは、前記ハウジング部品の前記底端部内に前記スプール部品を挿入するステップを含む、請求項５６に記載の方法。
【請求項５８】
前記中央ボスは軸方向に延在する隙間を含み、前記方法は、前記中央ボスの前記軸方向に延在する隙間内に補強ばねを挿入するステップをさらに含む、請求項５６に記載の方法。
【請求項５９】
前記締め付け部品をハウジング部品の頂端部と連結するステップは、前記締め付け部品のリップを前記ハウジング部品の対応するリップの上にスナップ留めするステップを含む、請求項５６に記載の方法。
【請求項６０】
前記スプール部品の開口部および前記駆動部品の開口部を通して前記中央ボスを挿入するステップをさらに含み、前記中央ボスの頂端部は、前記駆動部品の開口部の直径より大きい直径を有する環状突起を含む、請求項５６に記載の方法。
【発明の詳細な説明】
【技術分野】
【０００１】
関連出願の相互参照
[0001]本出願は、２０１６年１２月２２日に出願された「Ｒｅｅｌ  Ｂａｓｅｄ  Ｃｌｏｓｕｒｅ  Ｓｙｓｔｅｍ」という名称の米国仮特許出願第６２／４３８，２８８号および２０１６年１２月９日に出願された「Ｒｅｅｌ  Ｂａｓｅｄ  Ｃｌｏｓｕｒｅ  Ｓｙｓｔｅｍｓ」という名称の米国仮特許出願第６２／４３２，１７５号の優先権を主張する。前述の米国仮特許出願の両方の開示全体は、あたかも本明細書に完全に記載されているかのように、あらゆる目的のために参照により本明細書に組み込まれる。
【背景技術】
【０００２】
[0002]本開示は、ブレース、医療装置、靴、衣類、衣料品などの様々な物品のためのリール式クロージャ装置に関する。そのような物品は、通常、物品を身体部分の周りに配置し、身体部分の周りで閉鎖または締め付けることを可能にする何らかのクロージャシステムを含む。クロージャシステムは通常、身体部分の周りに物品を維持または固定するために使用される。例えば、靴は通常、個人の足を覆うように配置され、靴紐は、靴を足の周りで閉じて固定するために引張られて結ばれる。従来のクロージャシステムは、身体部分の周りの物品のフィット感および／または快適さを増すために改良されてきた。例えば、靴紐の構成および／またはパターンは、靴を履くことのフィット感および／または快適さを増すために修正されてきた。従来のクロージャシステムもまた、物品を閉じて身体部分の周りに固定することができる時間を短縮するために改良されてきた。これらの修正は、物品を迅速に閉じて足に固定することを可能にする様々な引張コード、ストラップ、および引張装置の使用をもたらした。
【発明の概要】
【課題を解決するための手段】
【０００３】
[0003]本明細書に記載の実施形態は、レースまたは引張部材を引張り、それによって物品または他の品目を締め付けるために使用することができる、リール式クロージャ装置およびそのための部品を提供する。一態様によれば、物品を締め付けるためのクロージャ装置は、内部領域を有するハウジング部品と、引張部材と、ハウジングの内部領域内に回転可能に配置されたスプール部品と、スプール部品の軸方向上方に配置された締め付け部品であって、締め付け部品の操作によりスプール部品がハウジング部品の内部領域内で回転して引張部材をスプール部品の周りに巻き付けるようにスプール部品と動作可能に連結された締め付け部品と、を含む。クロージャ装置はまた、引張部材とは別個の連結部品であって、連結部品が引張部材の周りに取り外し可能に固定されるように引張部材の遠位端部と摩擦係合する連結部品と、を含む。スプール部品は連結機構を含み、連結部品が引張部材をスプールに取り付けるように連結機構内に配置される。
【０００４】
[0004]別の態様によれば、リール式クロージャシステムの引張部材に固定可能な連結部品は、引張部材とは別個の本体と、本体の周りに配置された少なくとも１つの開口部であって、引張部材の遠位端部が本体の開口部を通って挿入可能である、少なくとも１つの開口部と、を含む。連結部品は、連結部品が引張部材の遠位端部と摩擦係合して連結部品を連結部品にしっかりと固定するように構成される。連結部品は、引張部材に結び目を作ることを必要とせずに、かつ引張部材の他の変更を必要とせずに、引張部材と摩擦係合する。
【０００５】
[0005]別の態様によれば、引張部材をリール式クロージャ装置と連結する方法は、リール式クロージャ装置のスプール部品のチャネルを通して引張部材を挿入するステップを含む。本方法はまた、引張部材の遠位端部を、引張部材とは別個の連結部品に連結するステップであって、連結部品は、引張部材の遠位端部と摩擦係合して連結部品を引張部材の遠位端部の周りに固定する、ステップを含む。本方法は、連結部品がチャネルと係合し、それによって引張部材がスプール部品のチャネルを通して引張られるのを防止するように、スプール部品のチャネルを通して引張部材を引き込むステップをさらに含む。
【０００６】
[0006]別の態様によれば、リール式クロージャシステムは、内部領域を画定するベース部材と、ベース部材の内部領域内に配置可能であり、ベース部材と解放可能に連結可能であるハウジング部品と、を含む。リール式クロージャシステムはまた、ハウジング部品内に回転可能に配置されたスプール部品を含む。スプール部品は、引張部材がスプール部品の周りに巻取り可能であるように構成される。リール式クロージャシステムは、ハウジング部品と回転可能に連結された締め付け部品であって、締め付け部品の操作によりスプール部品がハウジング部品内で回転して引張部材をスプール部品の周りに巻き付け、それによって物品を締め付けるようにスプール部品と動作可能に連結された締め付け部品をさらに含む。ハウジング部品は、ハウジング部品をベース部材の内部領域内に軸方向に挿入することによって、かつハウジング部品をベース部材に対して回転させることによってベース部材と連結可能である。ハウジング部品は、ベース部材に対するハウジング部品の回転を必要とせずにベース部材から取り外し可能である。
【０００７】
[0007]別の態様によれば、リール式クロージャシステムは、内部領域を画定するベース部材と、ベース部材の内部領域内に配置可能であり、ベース部材と解放可能に連結可能であるハウジング部品と、を含む。リール式クロージャシステムはまた、ハウジング部品内に回転可能に配置されたスプール部品を含む。スプール部品は、引張部材がスプール部品の周りに巻取り可能であるように構成される。リール式クロージャシステムは、ハウジング部品と回転可能に連結された締め付け部品であって、締め付け部品の操作によりスプール部品がハウジング部品内で回転して引張部材をスプール部品の周りに巻き付けるようにスプール部品と動作可能に連結された締め付け部品をさらに含む。ハウジング部品は、ハウジング部品をベース部材の内部領域内に固定するようにベース部材に対して回転可能であり、ハウジング部品は、ベース部材からハウジング部品を取り外すためにベース部材に対して軸方向に移動可能である。
【０００８】
[0008]別の態様によれば、リール式クロージャシステムの組み立て方法は、リール式クロージャシステムを提供するステップを含み、リール式クロージャシステムは、内部領域を画定するベース部材と、ハウジング部品と、ハウジング部品内に回転可能に配置されたスプール部品と、ハウジング部品と回転可能に連結された締め付け部品であって、締め付け部品の操作時にスプール部品をハウジング部品内で回転させるようにスプール部品と動作可能に連結された締め付け部品と、を含む。本方法はまた、ハウジング部品の底端部をベース部材の内部領域内に軸方向に挿入するステップと、ハウジング部品をベース部材の周りに固定するために、ハウジング部品をベース部材に対して回転させるステップと、を含む。ハウジング部品がベース部材に固定された後に、ハウジング部品は、ベース部材に対するハウジング部品の逆回転を必要とせずにベース部材から取り外し可能である。
【０００９】
[0009]別の態様によれば、物品を締め付けるためのリール式クロージャ装置は、内部領域を有するハウジング部品と、ハウジング部品の内部領域内に回転可能に配置されたスプール部品と、を含む。スプール部品は、物品を締め付けるように引張部材がスプール部品の周りに巻取り可能であるように構成される。リール式クロージャ装置はまた、スプール部品の軸方向上方に配置され、スプール部品の第２の方向の回転を防止しながらスプール部品がハウジング部品の内部領域内で第１の方向に回転することができるようにスプール部品と動作可能に連結された駆動部品を含む。リール式クロージャ装置は、ハウジングと回転可能に連結され、駆動部品の軸方向に上方配置された締め付け部品であって、締め付け部品の操作によってスプール部品がハウジング部品の内部領域内で第１の方向に回転して引張部材をスプール部品の周りに巻き付けるように駆動部品と連結された締め付け部品をさらに含む。リール式クロージャ装置は、スプール部品の軸方向下方に配置された連結部品をさらに含む。連結部品は、ハウジング部品の内部領域内ならびにスプール部品の開口部および駆動部品の開口部を通って軸方向上方に突出する中央ボスを有し、スプール部品および駆動部品が中央ボスの周りに回転可能である。連結部品はまた、中央ボスから半径方向外側に延在し、ハウジング部品の底端部に取り付けられる一対のアームを含む。各アームの遠位端部は、一対のアームがハウジング部品の底端部に取り付けられたときに、ハウジング部品の底縁部の周りに湾曲する上向きに曲がったリップまたはタブを含む。
【００１０】
[0010]別の態様によれば、リール式クロージャ装置は、内部領域を有するハウジングと、ハウジングの内部領域内に回転可能に配置されたスプールと、ハウジングと回転可能に連結された締め付け部材であって、締め付け部材の操作によりスプールがハウジング内で第１の方向に回転して引張部材をスプールの周りに巻き付けるようにスプールと動作可能に連結された締め付け部材と、を含む。リール式クロージャ装置はまた、スプールの軸方向下方に配置された連結部材を含む。連結部材は、ハウジングの内部領域内に軸方向上方に突出する中央ボスを有し、かつ、中央ボスから半径方向外側に延在し、ハウジングの底端部に取り付けられた一対のアームを有する。各アームの遠位端部は、上方に湾曲し、一対のアームがハウジングの底端部に取り付けられたときにハウジングと取り外し可能に連結するリップまたはタブを含む。
【００１１】
[0011]別の態様によれば、リール式クロージャ装置を組み立てる方法は、駆動部品を締め付け部品と連結するステップと、駆動部品がハウジング部品の内部領域に面するように、締め付け部品をハウジング部品の頂端部に連結するステップと、を含む。本方法はまた、スプール部品の頂端部が駆動部品の底面に面するように、ハウジング部品内にスプール部品を挿入するステップと、連結部品の中央ボスがハウジング部品の内部領域内に延在するように、連結部品をハウジング部品の底端部に連結するステップと、を含む。連結部品は、中央ボスから半径方向外側に延在し、ハウジング部品の底端部に取り付けられる一対のアームを含む。各アームの遠位端部は、上方に湾曲し、一対のアームがハウジング部品の底端部に取り付けられたときにハウジング部品と取り外し可能に連結するリップまたはタブを含む。
【００１２】
[0012]本発明を添付の図面と併せて説明する。
【図面の簡単な説明】
【００１３】
【図１】組み立てられた状態のリール式クロージャ装置またはシステムの斜視図である。
【図２ａ】図１のクロージャシステムの分解斜視図である。
【図２ｂ】図１のクロージャシステムの分解斜視図である。
【図３】図１のクロージャシステムのベース部材の上面図および斜視図である。
【図４ａ】図１のクロージャシステムのハウジングの底面図および斜視図である。
【図４ｂ】は、ハウジングの連結タブとベース部材のチャネルとの機械的係合を示す図である。
【図５ａ】非連結状態のハウジングおよびベース部材の斜視図である。
【図５ｂ】非連結状態のハウジングおよびベース部材の斜視図である。
【図６ａ】組み立てられたハウジングおよびベース部材の上面図である。
【図６ｂ】組み立てられたハウジングおよびベース部材の上面図である。
【図７】連結された状態のハウジングおよびベース部材を示す図である。
【図７ａ】ハウジングがいくつかの定義された向きのうちの１つにおいてのみベース部材と連結可能であるベース部材の一実施形態を示す図である。
【図７ｂ】ハウジングがいくつかの定義された向きのうちの１つにおいてのみベース部材と連結可能であるベース部材の一実施形態を示す図である。
【図７ｃ】ハウジングがいくつかの定義された向きのうちの１つにおいてのみベース部材と連結可能であるベース部材の一実施形態を示す図である。
【図７ｄ】ハウジングがいくつかの定義された向きのうちの１つにおいてのみベース部材と連結可能であるベース部材の一実施形態を示す図である。
【図８ａ】連結部材および補強ばねの斜視図である。
【図８ｂ】連結部材および補強ばねの斜視図である。
【図９】連結部材およびハウジングの底面図および底面分解斜視図である。
【図１０】ハウジングの側面の周りに連結された半径方向タブの詳細図であり、また組み立てられたベース部材およびハウジングの斜視図である。
【図１１】ノブの分解斜視図および上面図である。
【図１２ａ】レース連結部品を示す図である。
【図１２ｂ】レース連結部品を示す図である。
【図１３ａ】図１２ａ、図１２ｂのレース連結部品とレースを連結する様々な構成を示す図である。
【図１３ｂ】図１２ａ、図１２ｂのレース連結部品とレースを連結する様々な構成を示す図である。
【図１４】連結部品の別の実施形態を示す図である。
【図１５ａ】クロージャシステムのスプール内にレースを固定するために使用されている図１２ａ〜図１４の部品を示す図である。
【図１５ｂ】クロージャシステムのスプール内にレースを固定するために使用されている図１２ａ〜図１４の部品を示す図である。
【図１５ｃ】クロージャシステムのスプール内にレースを固定するために使用されている図１２ａ〜図１４の部品を示す図である。
【図１５ｄ】クロージャシステムのスプール内にレースを固定するために使用されている図１２ａ〜図１４の部品を示す図である。
【図１５ｅ】クロージャシステムのスプール内にレースを固定するために使用されている図１２ａ〜図１４の部品を示す図である。
【図１５ｆ】クロージャシステムのスプール内にレースを固定するために使用されている図１２ａ〜図１４の部品を示す図である。
【図１６】レースの両端部と連結可能な連結部品の別の実施形態を示す図である。
【図１７】連結部品の様々な実施形態を示す図である。
【図１８】連結部品の様々な実施形態を示す図である。
【図１９】連結部品の様々な実施形態を示す図である。
【図２０】クロージャシステムのスプールを用いてレースの両端部を固定するために使用されている図１６〜図１９の部品を示す図である。
【図２１ａ】図１２ａ〜図１４および図１６〜図１９のレース連結部品のさらなる使用を示す図である。
【図２１ｂ】図１２ａ〜図１４および図１６〜図１９のレース連結部品のさらなる使用を示す図である。
【図２２】リール式システムのノブまたはハウジングと枢動可能に連結することができるキャップを含むリール式クロージャシステムを示す図である。
【図２３ａ】可逆ノブを含むリール式クロージャシステムを示す図である。
【図２３ｂ】可逆ノブを含むリール式クロージャシステムを示す図である。
【図２３ｃ】可逆ノブを含むリール式クロージャシステムを示す図である。
【図２４ａ】リール式クロージャシステムの偶発的な動作を防止または最小限に抑えるためにリール式クロージャシステムの上に配置可能なストラップを示す図である。
【図２４ｂ】リール式クロージャシステムの偶発的な動作を防止または最小限に抑えるためにリール式クロージャシステムの上に配置可能なストラップを示す図である。
【図２５ａ】下にある物品と色および／またはパターンが一致するように構成されたリール式クロージャシステムを示す図である。
【図２５ｂ】下にある物品と色および／またはパターンが一致するように構成されたリール式クロージャシステムを示す図である。
【図２６ａ】靴の周りのリール式クロージャシステムの代替的な配置を示す図である。
【図２６ｂ】靴の周りのリール式クロージャシステムの代替的な配置を示す図である。
【図２６ｃ】靴の周りのリール式クロージャシステムの代替的な配置を示す図である。
【図２６ｄ】靴の周りのリール式クロージャシステムの代替的な配置を示す図である。
【図２７ａ】リール式クロージャシステムのスプールを回転させるために使用される外側環状リングを含むリール式クロージャシステムを示す図である。
【図２７ｂ】リール式クロージャシステムのスプールを回転させるために使用される外側環状リングを含むリール式クロージャシステムを示す図である。
【図２８ａ】引張コード部品および回転部品の両方を含むリール式クロージャシステムを示す図である。
【図２８ｂ】引張コード部品および回転部品の両方を含むリール式クロージャシステムを示す図である。
【図２９】引張部材をリール式クロージャ装置と連結する方法を示す図である。
【図３０】リール式クロージャシステムの組み立て方法を示す図である。
【図３１】リール式クロージャ装置の組み立て方法を示す図である。
【発明を実施するための形態】
【００１４】
[0044]添付の図面において、同様の部品および／または特徴は、同じ符号を有する場合がある。さらに、同じタイプの様々な部品は、類似の部品および／または特徴を区別する文字を符号の後に付けることによって区別することができる。明細書において第１の符号のみを使用する場合には、その説明は、文字の添字に関係なく、同じ第１の符号を有する類似の部品および／または特徴のいずれか１つに適用可能である。
【００１５】
[0045]以下の説明は、例示的な実施形態のみを提供するものであり、本開示の範囲、適用性、または構成を限定するものではない。むしろ、例示的な実施形態の以下の説明は、１つまたは複数の例示的な実施形態を実施するための可能な説明を当業者に提供する。添付の特許請求の範囲に記載された本発明の趣旨および範囲から逸脱することなく、要素の機能および配置に様々な変更を加えることができることを理解されたい。
【００１６】
[0046]本明細書に記載の実施形態は、レースまたは引張部材を引張り、それによって物品または他の品目を締め付けるために使用することができるリール式クロージャ装置（以下、クロージャシステムまたはリール式装置／システム）を提供する。物品は、パック（すなわち、バックパック、ブックバッグなど）、衣料品（すなわち、帽子、手袋、ベルトなど）、スポーツウェア（ブーツ、スノーボードブーツ、スキーブーツなど）、医療用装具（すなわち、背中装具、膝装具、手首装具、足首装具など）、ならびに他の様々な品目または衣料品を含む、様々な品目であってもよい。クロージャシステムを採用することができる特定の実施形態は、靴、ブーツ、サンダルなどの履物を含んでもよい。
【００１７】
[0047]ここで図１を参照すると、リール式クロージャ装置またはシステム１００（以下、クロージャシステム１００）の組み立て状態における斜視図が示されている。クロージャシステム１００は、ユーザが握って回転させるように設計されているリールまたはノブ（以下、ノブ１０２）などの締め付け部品１０２を含む。ノブ１０２は、クロージャシステム１００に対して配置されているので、ユーザにとって容易にアクセス可能である。ノブ１０２は、上面から見たときに六角形の外形または形状を有するように示されているが、円形、八角形、三角形など、他の様々なノブの形状または構成を採用することができる。ノブ１０２は、ハウジングまたはハウジング部品１２０（以下、ハウジング１２０）に取り付けられ、ハウジング１２０は、ベース部材またはバヨネット１１０（以下、ベース部材１１０）に取り付けられている。ハウジング１２０は、クロージャシステム１００の１つまたは複数の部品が内部に配置される内部領域を含む。ベース部材１１０は、物品の気密性またはフィット感を調整するためのクロージャシステム１００を採用する物品（例えば、靴、ブーツなど）に取り付けられるように構成されている。例えば、ベース部材１１０は、ステッチ、接着、接着接合、溶接（ＲＦ、超音波など）、または他の方法で物品に取り付けることができるフランジ１１１を含む。いくつかの例では、ベース部材１１０またはフランジ１１１は、クロージャシステム１００を採用する物品上にインサート成形されてもよい。ノブ１０２、ハウジング１２０、およびベース部材１１０の取り付けまたは連結の詳細は、以下でさらに詳細に提供される。
【００１８】
[0048]図２ａおよび図２ｂは、クロージャシステム１００の分解斜視図を示している。ノブ１０２、ハウジング１２０、およびベース部材１１０のさらなる詳細は、図２ａ〜図２ｂの分解斜視図に明らかである。クロージャシステム１００の追加の部品もまた、図２ａ〜図２ｂの分解斜視図に示されている。これらの追加の部品は、システムが組み立てられるときにクロージャシステム１００のハウジング１２０内に収容または収納され、したがって、これらの追加の部品は、一般にクロージャシステム１００の組み立て図では見えない。追加の部品は、駆動部品（例えば、爪ディスクまたは機構１４０）、スプール部品１３０、および連結部品または部材１５０を含む。スプール部品１３０（以下スプール１３０）は、ハウジング１２０の内部領域内に回転可能に配置され、引張部材を引張って物品を締め付けるために、引張部材（図示せず）がスプール１３０の周りに巻取り可能であるように構成される。駆動部品（以下、爪ディスク１４０）は、スプール１３０の上方で軸方向に配置され、ハウジング１２０内でのスプール１３０の第２の方向の回転を防止しながら、ハウジング１２０の内部領域内でスプールを第１の方向に回転することができるようにスプール１３０と動作可能に連結される。ノブ１０２は、ハウジング１２０と回転可能に連結され、爪ディスク１４０の上方で軸方向に配置され、爪ディスク１４０と動作可能に連結される。ノブ１０２の操作（例えば、ノブ１０２の回転）によって、スプール１３０をハウジング１２０の内部領域内で第１の方向に回転させて引張部材をスプール１３０の周りに巻き付けるようにする。連結部品または部材１５０は、スプール１３０の軸方向下方に配置されている。連結部品または部材１５０の中央ボス１５２は、ハウジング１２０の内部領域内に軸方向上方に突出している。
【００１９】
[0049]簡単に上述したように、爪ディスク１４０は、ハウジング１２０内でスプール１３０が反対方向（すなわち弛緩方向）に回転するのを防止しながら、スプール１３０の一方向（すなわち締め付け方向）への回転を許容するように構成される。締め付け方向は、必要に応じて時計回りまたは反時計回りの方向とすることができ、一方、緩める方向はその反対方向となる。スプール１３０の回転を可能にするために、爪ディスク１４０は、片持ちアーム１４２の遠位端部に配置された爪歯１４１を含む。爪歯１４１は、ラチェット状の様式でハウジング１２０のハウジング歯１２１と係合して、ハウジング１２０内でのスプール１３０の一方向の巻取り運動を可能にする。爪ディスク１４０は、ノブ１０２と爪ディスク１４０とが単一の部品として機能するように、ノブ１０２の内部領域内に配置されて取り付けられている。ノブ１０２の駆動部材１０３は、爪ディスク１４０の上面の開口部と係合し、その中に配置される。駆動部材１０３は、回転力またはトルクをノブ１０２から爪ディスク１４０に伝達する。したがって、ノブ１０２が締め付け方向に回転すると、爪ディスク１４０も締め付け方向に回転する。
【００２０】
[0050]爪ディスク１４０を締め付け方向に回転させると、片持ちアーム１４２のばねのような撓みまたは変位のために、爪歯１４１がハウジングの歯１２１の周りで半径方向内側に撓む。爪歯１４１は、それらがハウジング歯１２１と係合するように半径方向外側に付勢されている。ハウジング歯１２１の傾斜面は、爪ディスク１４０が締め付け方向に回転するときに爪歯１４１を半径方向内側に撓ませ、ハウジング歯１２１と爪歯１４１との係合は、爪ディスク１４０の緩み方向への回転を防止する。
【００２１】
[0051]爪歯１４１は半径方向外側に突出するように示されているが、いくつかの実施形態では、爪歯１４１は半径方向内側または軸方向上方もしくは下方に突出してもよい。そのような実施形態では、爪歯１４１と係合する歯１２１もまた、ハウジング１２０の内壁以外のどこか、例えば、内側円筒状壁の外壁上、またはハウジング１２０に取り付け可能な別個の歯付き部品もしくはディスク上などに配置される。そのような実施形態では、歯１２１は、爪ディスク１４０の爪歯１４１と係合するために、半径方向外側、軸方向上方、または軸方向下方を向くであろう。さらに別の実施形態では、爪ディスク１４０は、ノブ１０２、スプール１３０、またはハウジング１２０と一体的に形成されてもよい。
【００２２】
[0052]図２ａおよび図２ｂの実施形態では、爪ディスク１４０は、爪ディスク１４０の底面に配置された複数の軸方向に配向された歯１４４を含む。軸方向に配向された歯１４４は、スプール１３０の上面に配置された対応する軸方向に配向された歯１３４と係合する。スプール１３０および爪ディスク１４０の軸方向に向いた歯１３４、１４４は、回転力またはトルクが爪ディスク１４０からスプール１３０に伝達されるように係合し、これにより、爪ディスク１４０の締め付け方向への回転に応じてスプール１３０が締め付け方向へ回転する。
【００２３】
[0053]スプール１３０が締め付け方向に回転すると、スプール１３０に取り付けられたレース、コード、または引張部材（図示せず）がスプール１３０の中央部分またはチャネル１３２の周りに巻き取られる。スプール１３０は、スプール１３０の中央開口部または開口部１３６を通して中央ボス１５２を挿入することによって、連結部品または部材１５０（以下、連結部材１５０）の周りに回転可能に配置される。スプール１３０は、ごくわずかな摩擦または抗力でボス１５２の周りをスピンまたは回転することができる。ボス１５２の頂端部または遠位端部は、爪ディスク１４０の開口部または開口部１４６を通して挿入されて、ボス１５２の周りにスプール１３０を回転可能に配置する。
【００２４】
[0054]爪ディスク１４０は、爪ディスク１４０および／またはノブ１０２が２つの位置、すなわち係合位置および係合解除位置のうちの一方で支持されることを可能にするように、ボス１５２の頂端部と動作可能に係合される。係合位置では、ノブ１０２および爪ディスク１４０は、スプール１３０および爪ディスク１４０の軸方向に向いた歯１３４、１４４が互いに接触して互いに係合するように、ハウジング１２０およびスプール１３０に対して軸方向下方に配置される。係合解除位置では、爪ディスク１４０はハウジング１２０およびスプール１３０に対して軸方向上方に配置されているので、スプール１３０および爪ディスク１４０の軸方向に向いた歯１３４、１４４は係合解除し互いに接触しない。スプール１３０と爪ディスク１４０の軸方向に向いた歯１３４、１４４が係合解除するので、スプール１３０はハウジング１２０内で緩み方向に自由にスピンまたは回転することができる。係合解除位置では、爪ディスク１４０の爪歯１４１がハウジング歯１２１から係合解除することができ、それによってノブ１０２および爪ディスク１４０を緩み方向に回転させることができる。他の実施形態では、爪ディスク１４０の爪歯１４１は、係合解除位置でハウジング歯１２１と係合したままであってもよく、爪ディスク１４０および／またはノブ１０２の緩み方向への回転を防止することができる。
【００２５】
[0055]いくつかの実施形態では、ノブ１０２は同様に、係合解除位置にあるハウジング１２０およびスプール１３０に対して軸方向上方に配置されてもよい。そのような実施形態では、ノブ１０２および爪ディスク１４０の係合解除位置への軸方向上方への移動は、ノブ１０２を軸方向上方に引張ることによって達成されてもよい。他の実施形態では、爪ディスク１４０が軸方向上方位置に移動している間、ノブ１０２はハウジング１２０およびスプール１３０に対して軸方向に静止したままであってもよい。このような実施形態では、爪ディスク１４０の軸方向上方への移動は、ノブ１０２を緩み方向に回転させることによって、および／またはレバー、ボタン、クランプなどの別個の解放機構またはボタンを使用することによって達成することができる。爪ディスク１４０を軸方向上方に移動させるために、ノブ１０２および爪ディスク１４０は、ノブ１０２が緩み方向に回転するにつれて爪ディスク１４０を軸方向上方に移動させるカム付き面、傾斜面もしくは勾配面、または別の機構を含むことができる。
【００２６】
[0056]ボス１５２の頂端部は、環状突起または部材１５１を介して爪ディスク１４０および／またはノブ１０２を係合位置および係合解除位置に支持し維持する。環状突起１５１は、爪ディスク１４０の中央開口部１４６の直径よりも大きい直径を有し、これにより、環状突起１５１が、ボス１５２の頂端部の周りでの爪ディスク１４０の軸方向上方および下方への動きと干渉し、それを妨げる。環状突起１５１は爪ディスク１４０の軸方向の動きを妨げるが、環状突起１５１は、ボス１５２が半径方向内側に変位または撓むことができるため、爪ディスク１４０の軸方向の動きを妨げない。具体的には、ボス１５２は、連結部材１５０のベース１５３から軸方向上方に延在する一対のフィンガまたは部材から形成されている。爪ディスク１４０の中央開口部１４６が環状突起１５１の周りおよびその上方で軸方向上方または下方に動かされると、一対のフィンガは互いに向かって内側に撓み、ボス１５２の頂端部が半径方向内側に変位および撓むことを可能にする。爪ディスク１４０が環状突起１５１を中心に軸方向上方または下方に移動した後に、一対のフィンガは外側に弾性的に撓み、撓んでいない構成を再開する。動作中、爪ディスク１４０の中央開口部１４６は、爪ディスク１４０および／またはノブ１０２を係合位置または係合解除位置のいずれかに支持し維持する環状突起１５１の上方または下方に配置される。
【００２７】
[0057]ノブ１０２は、ノブ１０２とハウジング１０２とを軸方向に整列することによって、かつノブ１０２をハウジング１２０の環状フランジまたはリブ１２２の上にスナップ留めすることによって、ハウジング１２０に連結される。具体的には、ノブ１０２の内壁または内面は、ノブ１０２がハウジングに対して押し付けられて軸方向下方に移動するにつれて、ハウジング１２０の環状リブ１２２をはめ込む、複数の突起１０４、または半径方向のリップを含む。ノブ１０２の突起１０４は、環状リブ１２２の外径よりも小さい内径を画定する。このように、ノブ１０２をハウジング１２０と連結する際に、ノブ１０２の内壁はある程度外側に撓む必要があり、かつ／または、ハウジング１２０は、ノブ１０２がハウジング１２０の周りを軸方向下方に移動してハウジング１２０の上にスナップ留めされることを可能にするために、ある程度内側に撓む必要がある。ノブ１０２が軸方向下方に移動した後に、突起１０４はハウジング１２０の環状リブ１２２の下方で軸方向に配置される。突起１０４と環状リブ１２２との間の干渉により、ノブ１０２の軸方向上方への移動によるノブ１０２のハウジング１２０からの連結解除は、防止されるかまたは著しく妨げられる。爪ディスク１４０、ノブ１０２、およびハウジング１２０の連結のさらなる詳細は、２０１６年１月８日に出願された「Ｉｎｔｅｇｒａｔｅｄ  Ｃｌｏｓｕｒｅ  Ｄｅｖｉｃｅ  Ｃｏｍｐｏｎｅｎｔｓ  ａｎｄ  Ｍｅｔｈｏｄｓ」という名称の米国特許出願第１４／９９１，７８８号に提供されており、上記の開示全体は参照により本明細書に組み込まれる。
【００２８】
[0058]ここで図３を参照すると、ベース部材１１０の上面図および斜視図が示されている。ベース部材１１０を物品に取り付けることを可能にするフランジ１１１は、ベース部材１１０の他の様々な特徴と同様に、より詳細に示されている。ベース部材１１０は、ベース部材１１０の両側に配置された一対の軸方向に延在する壁１１２を含む。クロージャシステム１００が組み立てられると、壁１１２はハウジング１２０およびノブ１０２を部分的に取り囲み、ノブ１０２を外部の物体との偶発的な接触から遮蔽または保護することができる。壁１１２によるノブ１０２の遮蔽は、外部の物体がノブ１０２に接触してノブ１０２および爪ディスク１４０を軸方向上方に係合解除位置に移動させることを防止することによってクロージャシステム１００の偶発的な開放を防止または制限することができる。壁１１２は、ノブ１０２および／または物品に対して、外部の物体からの接触が最も起こりやすいまたは予想される位置に配置することができる。いくつかの実施形態では、ベース部材１１０は、必要に応じて、壁を含まない、１つの壁、または３つ以上の壁を含むことができる。壁１１２は典型的にはベース部材１１０と同じ材料でできているが、他の材料を壁１１２に使用してもよい。
【００２９】
[0059]ベース部材１１０は内部領域を画定し、１つまたは複数の凹状部材または半径方向に延在するチャネル１１４（典型的には、複数の凹状部材／半径方向に延在するチャネル１１４）を含み、それは、ベース部材１１０の底部内面および内側領域の外側端部に形成されている。図示する実施形態では、ベース部材１１０は、８つの凹状部材または半径方向に延在するチャネル１１４（以下、凹状部材１１４）を含む。各凹状部材１１４は、軸方向に延在する開口部１１３と、開口部１１３から円周方向に延在し、ベース部材１１０の内面または壁に半径方向に切り込まれたチャネルまたは溝１１５と、を含む。チャネル１１５は、材料リップまたは突起部１１７が各チャネル１１５の上に形成されるように、ベース部材１１０の内壁に形成される。以下により詳細に説明するように、凹状部材１１４は、ハウジング１２０をベース部材１１０に取り付ける際に使用される。１つまたは複数の凹状部材１１４は、より大きい開口部１１６を有してもよい。図示する実施形態では、２つの凹状部材１１４はより大きな開口部１１６を含む。２つの凹状部材１１４のより大きな開口部１１６は、ハウジング１２０をベース部材１１０から取り外す際に使用されてもよい。
【００３０】
[0060]ここで図４ａを参照すると、ハウジング１２０の底面図および斜視図が示されている。ハウジング１２０の環状リブ１２２は、ハウジング１２０の他の特徴と同様に、より詳細に示されている。特に、１つまたは複数の連結タブ１２４は、ハウジング１２０の底面１２３から軸方向下方に延在する。各連結タブ１２４は、ベース部材１１０の凹状部材１１４と噛み合って係合するように構成され、したがって、ハウジング１２０は通常、ベース部材１１０の凹状部材１１４の数に対応するいくつかの連結タブ１２４（例えば、８つの連結タブ１２４）を含む。さらに、連結タブ１２４は、通常、ハウジング１２０をベース部材１１０の内部領域内に軸方向に挿入することを可能にするために、ベース部材１１０の凹状部材１１４と整列する。
【００３１】
[0061]連結タブ１２４の遠位端部は半径方向外側に延在し、その結果、半径方向に延在するタブが連結タブ１２４の遠位端部に形成される。後述するように、ハウジング１２０とベース部材１１０との取り外しを容易にするために、半径方向に延在するタブの上面１２５はしばしば面取りされるか、傾斜しているか、または弓形である。場合によっては、ハウジング１２０の内壁は、参照により本明細書に組み込まれる‘７８８特許出願に記載されているように、スプール１３０の上部フランジ表面と接触する半径方向内側のリップ１２６を含む。ハウジング１２０はまた、ベース部材１１０からのハウジング１２０の取り外しを容易にするために、凹状部材１１４の大きい方の開口部１１６のうちの１つの上方に軸方向に位置するように構成されるポート、チャネル、または凹部１２７を含む。より一般的には、ハウジング１２０は一対のポート、チャネル、または凹部１２７を含み、その中に力印加ツールを、ハウジング１２０をベース部材１１０の内部領域から軸方向に移動させる力をハウジング１２０に加えるように配置することができる。
【００３２】
[0062]ここで図５ａおよび図５ｂを参照すると、第１の状態または非連結状態にあるハウジング１２０およびベース部材１１０の斜視図が示されている。第１の状態すなわち非連結状態とは、ハウジング１２０とベース部材１１０とが互いに係合して固定またはロックされていないことを意味する。第１の状態または非連結状態は、ハウジング１２０がベース部材１１０の内部領域内に軸方向に挿入される前に生じることができ、あるいはハウジングがベース部材１１０の内部領域内に軸方向に挿入された後であって、ベース部材１１０に対してハウジング１２０を回転させる前に生じることができ、この回転はベース部材１１０の周りにハウジング１２０を固定またはロックする。図５ａおよび図５ｂでは、ハウジング１２０はベース部材１１０の内部領域内に軸方向に挿入されているように示されているが、ハウジング１２０はベース部材１１０に対して回転していないので、ハウジング１２０およびベース部材１１０は第１の状態または非連結状態にある。第１の状態／非連結状態では、ハウジング１２０はベース部材１１０と同軸上に整列し、ベース部材１１０と回転方向で整列して各連結タブ１２４がベース部材１１０の対応する凹状部材１１４と整列する。連結タブ１２４と凹状部材１１４とが整列した状態で、ハウジング１２０は、図５ａおよび図５ｂに示すように、各連結タブ１２４が対応する凹状部材１１４のそれぞれの開口部１１３内に挿入されるように軸方向下方に動かされる。図５ｂの拡大断面斜視図は、対応する凹状部材１１４の開口部１１３内に配置された３つの連結タブ１２４を示す。図５ｂでは、各連結タブ１２４は、凹状部材１１４の対応するチャネル１１５の右側に配置されている。以下により詳細に説明するように、ハウジング１２０の反時計回りの回転によって、各連結タブ１２４を対応するチャネル１１５内に回転させて、ベース部材１１０のリップまたは突起部の下に配置させ、ハウジング１２０をベース部材１１０に固定する。図５ａは、ハウジング１２０がベース部材１１０と組み合わされると、ハウジング１２０の凹部１２７が、ハウジング１２０をベース部材１１０から取り外すために力印加ツール（例えば、ドライバ）を配置することができるスロット１８２を形成することを示す。
【００３３】
[0063]ここで図６ａおよび図６ｂを参照すると、組み立てられたハウジング１２０およびベース部材１１０の平面図が示されている。連結タブ１２４が図中に見えるように、ハウジング１２０の上部が取り除かれている。図６ａおよび図６ｂは、ハウジング１２０をベース部材１１０にしっかりと固定するようにハウジング１２０およびベース部材１１０を組み立てる様子を示している。図６ａは、図５ａ〜図５ｂの第１の状態／非連結状態にあるハウジング１２０とベース部材１１０を示し、図６ｂは、第２の状態すなわち連結状態にあるハウジング１２０とベース部材１１０を示す。図６ａに示すように、各連結タブ１２４（すなわち、図示する実施形態では８個の連結タブ）は、凹状部材１１４の対応する開口部１１３（すなわち、図示する実施形態では８個の凹状部材）内に配置される。連結タブ１２４は、ハウジング１２０とベース部材１１０とを整列させることによって、およびハウジング１２０をベース部材１１０の内部領域内に軸方向に挿入することによって、凹状部材１１４の対応する開口部１１３内に配置される。ハウジング１２０をベース部材１１０にしっかりと取り付けるために、ハウジングはベース部材１１０に対して回転する。図６ｂは、ハウジング１２０が矢印Ａの方向（例えば、反時計回り方向）に回転し、それによって連結タブ１２４が開口部１１３から出て凹状部材１１４の対応するチャネル１１５内で回転することを示す。連結タブ１２４をチャネル１１５内で回転させると、連結タブ１２４のそれぞれが凹状部材１１４の材料リップまたは突起部１１７の下に軸方向に配置され、これによりハウジング１２０が軸方向上方に移動してベース部材１１０から連結解除されるのを防止する。
【００３４】
[0064]それぞれベース部材１１０およびハウジング１２０上に配置されている一対のアライメント矢印または印１８３、１８４を使用して、ハウジング１２０およびベース部材１１０を適切に整列して取り付けることができる。例えば、矢印または印１８３、１８４を使用して、ハウジングの印１８４をベース部材１１０の印１８３と整列するように、またはその右側に配置することによって、ハウジング１２０をベース部材１１０の周りに正しく方向付けることができる。次に、ハウジング１２０の印１８４がベース部材１１０の印１８３の左側にあるように、またはそれと整列するように、ハウジング１２０を回転させることができる。このようにして、クロージャシステム１００の組み立て者は、ベース部材１１０およびハウジング１２０が適切に整列され、および／またはしっかりと取り付けられることを確実にすることができる。いくつかの例では、ノブ１０２は、ハウジング１２０をベース部材１１０内に挿入することと、ハウジング１２０を回転させてベース部材１１０とロック係合することと、の両方に使用することができる。
【００３５】
[0065]連結タブ１２４は、連結タブ１２４のうちの１つまたは複数をチャネル１１５と機械的に係合させることによって、凹状部材１１４のチャネル１１５内に固定することができる。具体的には、図４ａに示すように、１つまたは複数の連結タブ（符号１８０で示す）は、対応するチャネルと係合してロックするように設計することができる。図示する実施形態では、２つの連結タブ１８０は、ベース部材１１０の対応するチャネル１１５とロック係合するように設計されているが、ハウジング１２０をベース部材１１０の内部領域内にロックまたは固定するためにこれより多いまたは少ない連結タブを用いてもよい。図４ｂは、連結タブ１８０と対応するチャネル１１５とのロック係合をより詳細に示す。具体的には、図４ｂは、ベース部材１１０に対するハウジング１２０の逆回転を防止するように連結タブ１８０の遠位リップまたは遠位縁部１８８と機械的に係合する、チャネル１１５内に形成された回転防止部材、バーブ、または突起部１８９を示し、これはハウジング１２０をベース部材１１０の内部領域内に固定する。
【００３６】
[0066]遠位リップまたは遠位縁部１８８は、連結タブ１８０とチャネル１１５とのロック係合を増すためにわずかに上向きに湾曲していてもよい。いくつかの例では、遠位リップまたは遠位縁部１８８は、チャネル１１５の回転防止バーブまたは突起部１８９上の同様の凹部と整列して係合するわずかな凹部を有してもよい。連結タブ１８０は、回転防止バーブまたは突起部１８９と係合するようにスナップ留めする可撓性か、弾力性か、またはコンプライアントな材料であってもよい。連結タブ１８０がチャネル１１５内で回転防止バーブまたは突起部１８９の上の位置に回転する際に、回転防止バーブまたは突起部１８９によって、連結タブ１８０または遠位リップもしくは遠位縁部１８８を軸方向下方に曲げることができる。図４ｂの矢印Ａは、連結タブ１８０がチャネル１１５に対して回転する方向を示している。回転防止バーブまたは突起部１８９は、連結タブ１８０の回転経路内に配置されているので、連結タブ１８０および／または遠位リップもしくは遠位縁部１８８は、回転防止バーブまたは突起部１８９の上を回転することを強いられ、これにより、連結タブ１８０および／または遠位リップもしくは遠位縁部１８８がある程度軸方向下方に屈曲または変位することができる。遠位リップもしくは遠位縁部１８８が回転防止バーブまたは突起部１８９と係合するようにスナップ留めされた後に、連結タブ１８０は、連結タブ１８０の反対方向への回転（すなわち、連結タブ１８０とチャネル１１５との係合を解除する回転）が防止されるように定位置にロックされる。ハウジング１２０は、連結タブ１８０とチャネル１１５とのロック係合によってベース部材１１０と係合してロックされる。
【００３７】
[0067]ここで図７を参照すると、第２の状態／連結状態にあるハウジング１２０およびベース部材１１０が示されており、連結タブ１２４は上述のように凹状部材１１４のチャネル１１５内にしっかりと固定されている。ハウジング１２０およびベース部材１１０が第２の状態／連結状態にあると、ハウジング１２０はベース部材１１０に本質的にロックまたは固定されて、これらの部品の連結解除または取り外しが実質的に防止される。ハウジング１２０とベース部材１１０との取り付けを説明する際の「実質的に防止された」という用語の使用は、ベース部材１１０とハウジング１２０とが互いに連結解除されてもよいが、通常の条件下ではこれらの部品が互いに取り外されないまたは連結解除されないことを意味する。言い換えれば、ハウジング１２０とベース部材１１０の取り付けを説明する際の「実質的に防止された」という用語の使用は、クロージャシステム１００に大きな力が加わるため、または以下に説明する制御状況下でのみ部品を取り外すことができることを意味する。
【００３８】
[0068]図７は、第２の状態／連結状態において、ハウジング１２０の凹部１２７がスロット１８２を形成することを示す。図７は単一のスロット１８２のみを示しているが、本実施形態では、ハウジング１２０は２つのスロット１８２を形成する２つの凹部１２７を含むことを理解されたい。第２のスロット（図示せず）は、組み立てられた部品の反対側に配置されているので、図７では見えないが、第２のスロットは必要に応じて他の場所に配置することができる。ハウジング１２０は、必要に応じてより多いまたはより少ない凹部１２７を含んでもよい。上で簡単に説明したように、スロット１８２はハウジング１２０をベース部材１１０から取り外すために使用される。部品の取り外しは、力印加ツール（例えば、マイナスドライバ、バー、または他のツール）をスロット１８２に挿入し、ハウジング１２０に軸方向上方への力を加えることによって達成される。一対のツール（図示せず）が通常使用され、各ツールはスロット１８２のうちの１つの中に挿入される。他の例では、軸方向上向きの力を加えるために、単一のツールを各スロット１８２と連続して使用することができる。スロット１８２により、ツールをハウジング１２０に軸方向上向きの力を加える際のレバーとして使用することができる。十分な軸方向上向きの力を加えると、連結タブ１２４が凹状部材１１４のチャネル１１５から押し出されるため、ハウジング１２０がベース部材１１０から取り外される。ベース部材１１０からのハウジング１２０の取り外しは、ベース部材１１０に対するハウジング１２０の回転を必要とせずに達成される。むしろ、ハウジング１２０は、ハウジングをベース部材から取り外すためにベース部材１１０に対して軸方向に移動可能である。
【００３９】
[0069]連結タブ１２４をチャネル１１５から押し出す際に、ハウジング１２０の底端部および／またはベース部材１１０の底端部は、ある程度曲がるか、撓むか、屈曲するか、または変位することがある。連結タブ１２４の面取りされた、傾斜した、または弓形の上面１２５は、連結タブ１２４がスライドしてチャネル１１５との係合から外れることを可能にすることによって、ハウジング１２０のベース部材１１０からの取り外しを助ける。いくつかの実施形態では、チャネル１１５は、ハウジング１２０とベース部材１１０との取り外しにも役立つ対応する面取り、傾斜、または弓形表面を有することができる。
【００４０】
[0070]ハウジング１２０およびベース部材１１０はまた、クロージャシステム１００に実質的な力が加えられることによって取り外すことができる。例えば、ノブ１０２またはハウジング１２０が十分な力で外部物体と接触すると、軸方向上方への力がハウジングに与えられ、それによって連結タブ１２４がチャネル１１５内から変位する。次いで、クロージャシステム１００のハウジング１２０および他の部品（すなわち、ノブ１０２、爪ディスク１４０、スプール１３０、および連結部材１５０）をベース部材１１０から取り外すことができる。このようにしてハウジング１２０およびベース部材１１０を取り外すと、クロージャシステム１００に大きな力が加わることによってハウジング１２０、ベース部材１１０、ノブ１０２、または他の部品が破損するのを防ぐことができる。取り外されたハウジング１２０は、上述の方法でベース部材１１０と再組み立てすることができる。与えられた力によってハウジング１２０または他の部品が破損した場合には、ハウジング１２０、スプール１３０、爪ディスク１４０、および／または連結部材１５０が交換され、上述のようにベース部材１１０に再び取り付けることができる。
【００４１】
[0071]いくつかの実施形態では、ベース部材１１０は、ハウジング１２０がいくつかの定義された向きのうちの１つでベース部材とのみ連結可能であるように構成することができる。そのような実施形態では、ハウジング１２０をベース部材１１０と連結するために、ハウジング１２０を定義された向きの１つでベース部材１１０と整列しなければならない。ハウジング１２０がベース部材１１０の内部領域内にいくつかの定義された向きのうちの１つ以外の向きで軸方向に挿入することなどによって、ハウジング１２０がベース部材１１０と適切に整列されない場合には、ハウジング１２０が回転してベース部材１１０と係合するのを妨げられ得る。図７ａ〜図７ｄは、ハウジング１２０は、いくつかの定義された向きのうちの１つでベース部材１１０と連結することができるように、かつ、部品の適切な整列が達成されない限り、ハウジング１２０が回転してベース部材１１０と係合することができないように、ベース部材１１０が構成されている一実施形態を示す。
【００４２】
[0072]具体的には、図７ａは、軸方向突起部材１９２を含むベース部材１１０を示し、これらは、ハウジング１２０がベース部材１１０と適切に整列されていない場合には、ハウジング１２０の底面と接触し、ハウジング１２０がベース部材１１０の内部領域内に完全に挿入されるのを防ぐように構成される。図７ａは、ベース部材１１０が４つの等間隔の軸方向突起部材１９２を含むことを示しているが、必要に応じてこのような部材をより多くまたはより少なく使用してもよい。ハウジング１２０がベース部材１１０と適切に整列されたときにハウジング１２０がベース部材１１０の内部領域内に完全に挿入されることを可能にするために、ハウジング１２０の底面は、軸方向突起部材１９２が中に配置されている円周方向に延在するスロット（図示せず）を含む。円周方向に延在するスロットは、ハウジング１２０がベース部材１１０と係合するように回転する際に軸方向突起部材１９２がスロット内に留まるのに十分な幅と長さを有する。
【００４３】
[0073]軸方向突起部材１９２および円周方向に延在するスロットの使用は、ハウジング１２０がベース部材１１０と複数の異なる向きで連結されることを可能にするが、意図されていない向きでハウジング１２０がベース部材１１０と連結されるのを防止する。このようにハウジング１２０をベース部材１１０と連結することにより、単一のベース部材１１０を使用して、物品に対して様々な異なる向きでクロージャシステム１００を物品に取り付けること、および／またはクロージャシステム１００によって閉じられ締め付けられる物品の開口部に取り付けることができる。例えば、履物用途では、異なる向きでのベース部材１１０とハウジング１２０の連結により、同じベース部材１１０を用いてクロージャシステム１００を履物の甲の内側、履物の甲の横側、および履物の舌の部分に配置することを可能にする。従来のシステムでは、クロージャ装置を履物の対向する両側および／または履物の舌の上に配置するために、通常、異なるベース部材が必要とされる。
【００４４】
[0074]設置者がハウジング１２０とベース部材１１０とを適切に整列させるのを助けるために、ベース部材１１０は、ハウジング１２０がいつ適切に整列されたかを設置者が識別するのを助ける印１９１ａ〜ｃを含む。印１９１ａ〜ｃはまた、設置者がハウジング１２０をベース部材１１０にどのように連結するかを決定するのを助け、それにより、ハウジング１２０およびベース部材１１０の所望の向きが達成される。さらに、ハウジング１２０は複数の異なる向きでベース部材１１０と連結されているので、ベース部材１１０は、上述のようにベース部材１１０からのハウジング１２０の取り外しを容易にするさらなる開口部１１６を含む。特に、さらなる開口部１１６を使用することにより、ハウジング１２０とベース部材１１０との連結方向に関係なく、一対の開口部１１６がハウジング１２０の一対の凹部１２７と確実に整列するようになる。図７ａは、ベース部材１１０が４つの等間隔の開口部１１６を含むことを示しているが、必要に応じてこれより多いまたはより少ない開口部１１６を使用してもよい。
【００４５】
[0075]図７ｂ〜図７ｄは、図７ａのベース部材１１０の設計によって達成することができる、ハウジング１２０とベース部材１１０との３つの異なる連結された向きを示す。図７ｂにおいて、左側の画像は、第１の状態／非連結状態でベース部材１１０の内部領域内に軸方向に挿入されたハウジング１２０を示す。ベース部材１１０の第１の印１９１ａは、ハウジング１２０の窓１９３または切り欠き部分を通して見ることができ、これは、ハウジング１２０がベース部材１１０と適切に整列されていること、さらに、ハウジング１２０とベース部材１１０との連結が、ベース部材１１０を中心としたハウジング１２０の第１の定義された向きをもたらすことを設置者が認識することを助ける。図７ｂの右側の画像は、第２の状態／連結状態にあるハウジング１２０とベース部材１１０を示しており、この状態では、ハウジング１２０はベース部材と係合するように回転されており、ハウジング１２０はベース部材１１０に対して第１の定義された向きに配置されている。第１の定義された向きでは、ハウジング１２０の一対のレースポート１９４は図示するようにベース部材１１０の右側に面している。
【００４６】
[0076]図７ｃにおいて、左側の画像は、第１の状態／非連結状態でベース部材１１０の内部領域内に軸方向に挿入されたハウジング１２０を示す。ベース部材１１０の第２の印１９１ｂは、ハウジング１２０の窓１９３を通して見ることができ、これは、ハウジング１２０がベース部材１１０と適切に整列されていること、さらに、ハウジング１２０とベース部材１１０との連結が、ベース部材１１０を中心としたハウジング１２０の第２の定義された向きをもたらすことを設置者が認識することを助ける。図７ｃの右側の画像は、第２の状態／連結状態にあるハウジング１２０とベース部材１１０を示しており、この状態では、ハウジング１２０はベース部材と係合するように回転されており、ハウジング１２０はベース部材１１０に対して第２の定義された向きに配置されている。第２の定義された向きでは、ハウジング１２０の一対のレースポート１９４は図示するようにベース部材１１０に対して前方を向いている。
【００４７】
[0077]図７ｄにおいて、左側の画像は、第１の状態／非連結状態でベース部材１１０の内部領域内に軸方向に挿入されたハウジング１２０を示す。ベース部材１１０の第３の印１９１ｃは、ハウジング１２０の窓１９３を通して見ることができ、これは、ハウジング１２０がベース部材１１０と適切に整列されていること、さらに、ハウジング１２０とベース部材１１０との連結が、ベース部材１１０を中心としたハウジング１２０の第３の定義された向きをもたらすことを設置者が認識することを助ける。図７ｄの右側の画像は、第２の状態／連結状態にあるハウジング１２０とベース部材１１０を示しており、この状態では、ハウジング１２０はベース部材と係合するように回転されており、ハウジング１２０はベース部材１１０に対して第３の定義された向きに配置されている。第３の定義された向きでは、図示するように、一対のレースポート１９４はベース部材１１０の左側に面している。
【００４８】
[0078]図示していないが、ハウジング１２０は、一対のレースポート１９４がベース部材１１０に対して後方を向くように、ベース部材１１０と同様に連結されてもよい。ハウジング１２０は、説明した以外の向きではベース部材１１０と連結することができない。例えば、ハウジング１２０は、一対のレースポート１９４がベース部材の左側とベース部材の前面との間に位置するようにベース部材１１０と連結することができない。
【００４９】
[0079]ここで図８ａおよび図８ｂを参照すると、連結部材１５０、および連結部材１５０の頂端部１５２の一対のフィンガを強化および補強するために使用される補強ばねの斜視図が示されている。図８ａは連結部材１５０および補強ばね１５４の分解斜視図を示し、図８ｂは部品の組み立てられた斜視図を示す。補強ばね１５４は、連結部材１５０の頂端部１５２の一対のフィンガ間の軸方向に延在する隙間内に軸方向に挿入される。補強ばね１５４は、ばね鋼または金属を含まない（例えば、ＰＥＡＫ）材料などの可撓性かつ弾力性のある材料でできている。補強ばね１５４は、爪ディスク１４０が環状突起１５１を中心に軸方向上方および下方に移動する際に、連結部材１５０の頂端部１５２の一対のフィンガを弾性的に撓ませるのを助ける。補強ばね１５４はまた、一対のフィンガを補強し、一対のフィンガがクロージャシステム１００の長期使用により塑性変形するのを防止することができる。図示するように、補強ばね１５４はＵ字型の構成を有する。
【００５０】
[0080]補強ばね１５４は、一対のフィンガの内面に配置された小さな突起１８７と係合する開口部１８６を含む。開口部１８６と突起１８７との係合は、補強ばね１５４を一対のフィンガに対して所定の位置にロックまたは保持する。補強ばね１５４は、一対のフィンガの間に補強ばね１５４を配置するために、連結部材１５０の底部開口部を通って軸方向に挿入されてもよい。
【００５１】
[0081]ここで図９を参照すると、組み立てられた構成における連結部材１５０およびハウジング１２０の底面分解斜視図、ならびに連結部材１５０およびハウジング１２０の底面図が示されている。図９は、連結部材１５０がハウジング１２０にどのように取り付けられているかを示している。図９に示し、図８ａ〜ｂにさらに詳細に示すように、連結部材１５０のベース１５３は、連結部材１５０をハウジング１２０に向けて連結する、半径方向に延在するいくつかのアーム、タブ、または突起１５５、１５７を含む。具体的には、連結部材１５０は、一対の第１の半径方向に延在するアームまたはタブ１５５（以下、第１の半径方向タブ）ならびに一対の第２の半径方向に延在するアームまたはタブ１５７（以下、第２の半径方向タブ）を含む。第１の半径方向タブ１５５は、半径方向タブの対向する両側の間に隙間または空間を置いて半径方向外側に延在する。第２の半径方向タブ１５７も半径方向外側に延在するが、第２の半径方向タブ１５７は上向きに曲がったリップを含む。第２の半径方向タブ１５７はまた、半径方向タブ１５７の反対側の間に半径方向に延在する空間または隙間を含むことができる。半径方向に延在する空間または隙間は、中央ボスの近くから上向きに曲がったリップまで延在することができる。
【００５２】
[0082]半径方向タブ１５５、１５７は、ハウジング１２０の底端部または底面の対応する特徴と連結するように構成されている。例えば、第１の半径方向タブ１５５は、ハウジング１２０の底面の凹部１２９ａ内に配置するように構成されている。半径方向タブが凹部１２９ａ内に配置されると、小さいボスまたは突起１２９を第１の半径方向タブ１５５の対向する両側の間の隙間または空間内に配置することができる。第２の半径方向タブ１５７も同様に、ハウジング１２０の底面の凹部内でハウジング１２０の側面の周りに配置されている。第２の半径方向タブ１５７の上向きに曲がったリップは、ハウジング１２０の底縁部の周りまたはその上で曲がるか、屈曲するか、または湾曲するように構成されて、連結部材１５０をハウジングに対して定位置に固定する。小さいボスまたは突起１２８が、第２の半径方向タブ１５７の隙間または空間内に配置されてもよい。第２の半径方向タブ１５７がハウジング１２０の側面の周りに配置されると、各上向きに曲がったリップの上縁部はそれぞれのボスまたは突起１２８の上で軸方向に配置され、これは連結部材１５０をハウジング１２０の底端部に固定するのを助ける。
【００５３】
[0083]第２の半径方向タブ１５７は、軸方向下向きの力を連結部材１５０に加えながら、上向きに曲がったリップを半径方向外側に曲げるまたは屈曲させることによって、ハウジング１２０の側面から取り外すことができる。ハウジング１２０からの第２の半径方向タブ１５７の連結解除は、連結部材１５０をハウジング１２０から連結解除させ、それによって連結部材１５０をクロージャシステム１００から取り外すことを可能にする。図１０は、ハウジングの側面の周りの第２の半径方向タブ１５７の連結をより詳細に示す。図１０はまた、連結部材のベース１５３と第１および第２の半径方向タブの一部とが見えるようにスプール１３０がアセンブリから取り除かれた、組み立てられた連結部材１５０、ハウジング１２０、およびベース部材１１０の斜視図を示す。ハウジング１２０からの連結部材１５０の取り外しは、ベース部材１１０からのハウジング１２０の取り外しを必要とする。
【００５４】
[0084]次に図１１を参照すると、ノブ１０２の分解斜視図および上面図が示されている。ノブ１０２の分解斜視図は、組み立てられていない状態のノブ１０２のいくつかの部品を示し、上面図は組み立てられた状態の部品を示す。ノブ１０２は、３つの部品、すなわち本体１１０２、第１のオーバーモールド１１０４、および第２のオーバーモールド１１０６を含むか、またはそれらから形成される。第１のオーバーモールド１１０４および第２のオーバーモールド１１０６は、ユーザがノブ１０２を握るのを助ける材料である。第１のオーバーモールド１１０４は、本体１１０２の外周の周りに配置された環状リングであってもよい。第２のオーバーモールド１１０６は、本体１１０２の一部分の上に配置された環状リングと、本体１１０２および第１のオーバーモールド１１０４の側面の周りとその上を包むフィンガまたは突起と、を有するケージの形態であってもよい。第２のオーバーモールド１１０６は、本体１１０２および第１のオーバーモールド１１０４の剥離または層間剥離を防止するのを助けることができる。第１のオーバーモールド１１０４および第２のオーバーモールド１１０６は、ユーザがノブ１０２を握るのを助けるために異なる摩擦特性を有する異なる材料であってもよい。特定の実施形態では、本体１１０２および／または第２のオーバーモールド１１０６はポリカーボネート材料であってもよく、第１のオーバーモールド１１０４は熱可塑性エラストマ（ＴＰＥ）材料であってもよい。
【００５５】
[0085]特定の実施形態では、３つの部品の各々は、典型的には射出成形工程である別々の成形工程で形成される。例えば、本体１１０２を射出成形によって形成し、次に第１のオーバーモールド１１０４を本体１１０２の上に射出成形することができる。次に、第２のオーバーモールド１１０６を本体１１０２および第１のオーバーモールド１１０４の上に射出成形することができる。成形工程は審美的な魅力を提供するために使用されてもよく、または増強されたグリップ面などの他の所望の特性を提供するために使用されてもよい。３つの部品が上述の方法で射出成形されると、３つの部品は強化されたグリップ面を有する単一のノブ１０２を形成する。
【００５６】
[0086]ここで図１２ａ〜図２０を参照すると、引張部材またはレースをスプール１３０およびクロージャシステム１００にしっかりと取り付けるのを助けるレース連結部品が示されている。連結部品は、レースとは別個であり、レースの遠位端部の周りに取り外し可能に固定されるように、レースの遠位端部と摩擦係合する。以下により詳細に記載され、そして参照により本明細書に組み込まれる‘７８８特許出願に記載されているように、ハウジング１２０は、スプール１３０の連結機構（例えば、ルーメン）と整列するレース入口ポートおよび出口ポートを含む。ハウジングのレースポートとスプールのルーメンの整列により、レースをハウジングとスプールに挿入して、レースとスプールを連結または取り付けることができる。図１２ａ〜図２０に示されている連結部品は、レースをスプール１３０に取り付ける工程を非常に単純化している。
【００５７】
[0087]図１２ａ〜図２０の連結部品のそれぞれは、本体と、レースを連結部品と摩擦係合するようにレースが挿入される少なくとも１つの開口部と、を含む。ほとんどの実施形態では、連結部品の本体は、レースが挿入される少なくとも２つの開口部を含む。連結部品は、レースに結び目を作ることを必要とせずに、かつレースの他の変更を必要とせずに、レースが連結部品と摩擦係合するように構成されている。連結部品は、連結部品がレースに固定された後にレースのトリミングまたは切断が必要とされないように、レースの遠位端部と摩擦係合することができる。連結部品の開口部は、引張部材の直径よりわずかに大きい直径を有する。開口部の直径は、レースの直径よりも２〜２０％大きく、より一般的には５〜１５％大きく、または５〜１０％大きくすることができる。いくつかの実施形態では、連結部品は、連結部品がレースの両端にしっかりと固定されるように、レースの両端部と摩擦係合するように構成される。
【００５８】
[0088]図１２ａおよび図１２ｂを参照すると、レース連結部品１２００の一実施形態が示されている。図１２ａは、レース連結部品１２００の４つの部品の変形１２０２ａ〜ｄを示す。各部品１２０２ａ〜ｄの構成は、開口部の構成を除いて実質的に同様である。部品１２０２ａ〜ｄの各々は、「数字８」の形状とすることができる本体から形成される。他の例では、部品１２０２ａ〜ｄは、楕円形、長方形、または円形の形状を有してもよい。部品１２０２ａ〜ｄの各々は、一対の開口部１２０４、１２０６を含み、これらの開口部を通してレース１３００が挿入される。開口部１２０４、１２０６は、通常、開口部を通してレース１３００を容易に挿入できるようにするために、レース１３００よりわずかに大きいサイズである。部品１２０２ａ〜ｄは、典型的には、レース１３００の容易な挿入を可能にするのに十分に柔軟でありながら、レースが部品を通して挿入されるかまたは別の方法で連結された後にレースが部品１２０２の周りにしっかりと固定されるほど十分に堅い材料で作られる。例示的な材料は、ほとんどの金属材料、より一般的にはステンレス鋼またはアルミニウムなどの非腐食性金属を含む。他の適切な材料には、繊維強化プラスチック、ガラス繊維、炭素繊維、エラストマなどが含まれる。
【００５９】
[0089]第１の部品の変形例１２０２ａでは、一対の開口部１２０４、１２０６は円形の構成を有する。一対の開口部１２０４、１２０６は、同様の大きさの直径、またはより一般的には異なる大きさの直径を有することができ、一方の開口部（例えば１２０４）は他方の開口部よりも小さい。一対の開口部１２０４、１２０６の異なる直径サイズは、部品１２０２ａ内にレース１３００を締め付けまたは固定するのを助けることができる。第２の部品の変形例１２０２ｂでは、開口部の一方または両方は小さな半径方向の突起を含む。半径方向の突起は、レースを部品１２０２ｂの周りの定位置に固定するのを助けるために、レース１３００を噛むかまたは掴むことができる。第３の部品の変形例１２０２ｃでは、開口部の断面がほぼＴ字形の形状を有するように、開口部の一方または両方がわずかに大きい半径方向の突起を含む。第４の部品の変形例１２０２ｄでは、開口部の内面が歯付きの構成を有するように、開口部の一方または両方が多数の半径方向の突起を含む。部品の変形例１２０２ａ〜ｄの中で使用される特定の部品は、レース１３００の材料およびクロージャシステム１００の他の要因に基づいて選択することができる。図１２ａ〜図１２ｂは、部品１２０２が本体１２０１から形成することができることを示す。小さい材料ブリッジは、部品１２０２を本体１２０１と接続することができる。材料ブリッジは、本体１２０１から個々の部品１２０２を取り外すために容易に切断または破壊することができる。本体１２０１を採用する利点は、ユーザによる取り扱いが容易なことである。
【００６０】
[0090]図１３ａおよび図１３ｂを参照すると、部品１２０２の開口部１２０４、１２０６を通してレース１３００を挿入する様々な構成が示されている。図１３ａでは、レース１３００は、第１の開口部１２０４を通って挿入され、次いで、第２の開口部１２０６を通って挿入される前に、部品１２０２の中央部分を覆って直ちにループを形成する。図１３ｂでは、レース１３００は、第１の開口部１２０４を通って挿入され、次いで、第２の開口部１２０６を通って挿入される前に、螺旋状に部品１２０２の周りに巻き付けられる。開口部１２０４、１２０６を通してレース１３００を挿入する他の変形例も同様に使用することができる。
【００６１】
[0091]ここで図１４を参照すると、クロージャシステム１００のスプール１３０にレース１３００を固定するのに使用することができる部品１４０２の別の実施形態が示されている。部品１４０２は、フック状または屈曲した遠位端部１４１０を有するほぼ長方形の形状を有する。部品１４０２は、第１の開口部１４０４および第２の開口部１４０６を含み、それを通してレース１３００が前述のように挿入される。フック状端部１４１０は、レース１３００もまた挿入されるスロットまたはチャネル１４０８を含む。スロットまたはチャネル１４０８は、レース１３００の挿入およびレースの圧着もしくは挟み込みを可能にするための幅広部分および幅狭部分を含んでもよい。例えば、レース１３００は、チャネル１４０８の広い部分を通して挿入され、そして第１および第２の開口部１４０４、１４０６に通されてもよい。次に、レース１３００をスロット１４０８の狭い部分の１つの中に下方に移動してまたは引張って、レース１３００をスロット１４０８の狭い部分内に挟むかまたは押し込むことができ、これはレース１３００を部品１４０２内またはその周りに固定するのを助けることができる。フック状端部１４１０はまた、スプール１３０のルーメン内に部品１４０２を保持するのを助けることができる。
【００６２】
[0092]ここで図１５ａ〜図１５ｆを参照すると、クロージャシステム１００のスプール１３０内にレース１３００を固定するために使用されている図１２ａ〜図１４の部品が示されている。具体的には、部品１２０２は、レース１３００をクロージャシステム１００に動作可能に取り付けるかまたは連結するために、レース１３００をスプール１３０の連結機構内に固定して示されている。連結機構は、スプール１３０の中央に配置された円筒状の壁または本体部材を通って延在するチャネルまたはルーメン１５００（以下、ルーメン１５００）である。図１５ａは、上述のように部品１２０２に取り付けられたレース１３００を示す。レース１３００は、スプール１３０のルーメン１５００を通して挿入される。図１５ｂは、スプール１３０のルーメン１５００がハウジング１２０の入口ポート１５０４および出口ポート１５０２と整列するように、ハウジング１２０の内部領域内に配置されかつハウジング１２０と整列したスプール１３０を示す。スプールのルーメン１５００をハウジングの入口ポート１５０４および出口ポート１５０２と整列することにより、レース１３００を、入口ポート１５０４を通して、スプール１３０のルーメン１５００を通して、さらに出口ポート１５０２を通して挿入することが可能になる。このようにして、レース１３００はスプール１３０とハウジング１２０の対向する両側に配置され、スプール１３０と動作的に連結されてもよい。レース１３００をスプール１３０と動作的に連結することは、締め付け方向へのハウジング１２０内でのスプール１３０の回転によって、レース１３００がスプール１３０の中央部分またはチャネル１３２の周りに巻き付けられるように、レース１３００はスプール１３０に取り付けられることを意味しており、これはレース１３００に張力を加える。図１５ｃおよび図１５ｄは、スプールのルーメン１５００を通るレース１３００の挿入、ならびにスプールのルーメン１５００とハウジングの入口ポート１５０４および出口ポート１５０２との整列をより詳細に示す。
【００６３】
[0093]レースがハウジングの入口ポート１５０４および出口ポート１５０２を通して、そしてスプールのルーメン１５００を通して挿入された後に、部品１２０２を図示するようにレース１３００の遠位端部に取り付けることができる。その後に、レース１３００および部品１２０２は、出口ポート１５０２を通して引き込まれてスプールのルーメン１５００内に固定される準備ができる。図１５ｅおよび図１５ｆは、ハウジング出口ポート１５０２を通して引き込まれてスプールのルーメン１５００内に固定されたレース１３００および部品１２０２を示す。図１５ｆに示すように、スプールのルーメン１５００は、ルーメンの直径または開口部がスプール１３０の円筒状壁１３８の近くで最大であり、ルーメン１５００が円筒状壁１３８から内方に突出するにつれて先細りになって狭まるテーパ形状を有する。円筒状壁１３８の近くのルーメンの開口部は、部品１２０２の全体の幅および厚さよりも大きいので、部品１２０２全体をルーメン１５００内に引き込むことができる。言い換えれば、部品１２０２は、部品１２０２がスプールのルーメン１５００内に引き込まれたときに、部品１２０２がスプールの中央に配置された円筒体部材または壁の外壁を越えて半径方向外側に延在しないように十分に小さい。
【００６４】
[0094]しかしながら、部品１２０２がルーメン１５００を通って完全に引き込まれるのを防ぐために、部品１２０２はルーメン１５００の狭い端部よりも大きい。部品１２０２はルーメン１５００の狭い端部よりも大きいので、ルーメン１５００内での部品１２０２の引き込みによって、部品をルーメン１５００内に留まらせ、くさび留め、および／または固定し、それにより部品１２０２およびレース１３００をスプール１３０に固定する。言い換えれば、部品１２０２は、スプールのルーメンの最小直径よりも大きいので、レースと連結されたときに、部品１２０２は、レースがスプールのルーメン１５００を通って引き込まれてスプール１３０から連結解除されるのを防止する。部品１２０２の長さは、レースがスプールの中央部分またはチャネル１３２の周りに巻かれるときにレース１３００と干渉しないように、通常、部品１２０２全体がルーメン１５００内に配置されるような長さである。部品１２０２は、ルーメン１５００内への部品１２０２の挿入を容易にするために、ルーメン１５００のテーパに対応するテーパ形状を有することができる。
【００６５】
[0095]ここで図１６を参照すると、２つのレース端部１３０２、１３０４と連結することができる部品１６００の別の実施形態が示されている。典型的には、レース端部１３０２、１３０４は同じレースの両端部であるが、レース端部１３０２、１３０４は別々のレースの端部であってもよい。部品１６００は、第１の開口部１６０２、第２の開口部１６０４、および第３の開口部１６０６を含む。第１の開口部１６０２および第２の開口部１６０４は部品１６００の両側に配置され、第３の開口部１６０６は部品１６００の中心内または中心付近に配置される。第３の開口部１６０６は、一方の側で接続されている２つの円形または他の形状の穴を含む。いくつかの実施形態では、２つの円形の穴は互いに分離されていてもよい。部品１６００は、一方のレース端部１３０２が第１の開口部１６０２および第３の開口部１６０６の一方の穴を通って挿入され、他方のレース端部１３０４が第２の開口部１６０４および第３の開口部１６０６の他方の穴を通って挿入されるように構成される。図１６に示すように、レース端部１３０２、１３０４は、最初に第１および第２の開口部１６０２、１６０４を通して挿入されてもよく、または第３の開口部１６０６を通して最初に挿入されてもよい。部品１６００の様々な開口部は、部品１６００の周りにレース端部１３０２、１３０４を固定するのを助けるために異なる直径または形状を有することができる。
【００６６】
[0096]図１７は、部品１７００が第１の開口部対１７０２および第２の開口部対１７０４を含むこと以外は同様の部品１７００を示す。各開口部対１７０２、１７０４は、一方の側で接続されている円形の穴または開口部を含む。別の実施形態では、部品１７００が４つの別々の穴または開口部を含むように、開口部対１７０２、１７０４の穴または開口部の各々を互いに分離することができる。レース端部１３０２、１３０４は、レース端部１３０２の一方を各開口部対１７０２、１７０４の１つの穴／開口部を通して挿入することによって、かつ、各開口部対１７０２、１７０４の他方の穴／開口部を通して他方のレース端部１３０４を挿入することによって、部品１７００に取り付けることができる。図示するように、レース端部１３０２、１３０４は、各開口部対１７０２、１７０４の穴／開口部を通して反対方向に挿入することができる。他の実施形態では、レース端部１３０２、１３０４は、各開口部対１７０２、１７０４の穴／開口部を通して同じ方向に挿入されてもよい。
【００６７】
[0097]図１８は、図１７の部品１７００と同様の部品１８００を示す。部品１８００は、互いに接続することができるかまたは互いに分離することができる穴／開口部を有する第１の開口部対１８０２および第２の開口部対１８０４を含む。開口部対１８０２、１８０４は、図示するように互いに垂直方向にずらしてもよく、または必要に応じて垂直方向に整列させてもよい。部品１８００は湾曲しており、対向するフック状端部１８１０を含むことができる。レース端部１３０２、１３０４は、前述のように、開口部対１８０２、１８０４を通して挿入することができ、レース端部１３０２、１３０４の遠位端部は、部品１８００のフック状端部１８１０から形成されたポケットまたはキャビティ１８１２内に配置されてもよい。部品１８００の両端部１８１０はフック状かまたは湾曲しているので、部品１８００は、レース端部１３０２、１３０４が挿入されるスロットまたは開口部１８１４を含むことができる。
【００６８】
[0098]図１９は、図１８の部品１８００と同様の部品１９００を示す。部品１９００は、開口部の第１の対１９０２および開口部の第２の対１９０４を含み、これらの開口部を通して、レース端部１３０２、１３０４が前述のように挿入される。部品はまた、フック状端部１９０６、１９０８が部品１９００の横方向幅全体に沿って横切らないことを除いて、対向するフック状端部１９０６、１９０８を含む。むしろ、フック状端部１９０６、１９０８は、横幅の一部に沿って延在するだけであり、部品１９００の対向する両側に配置されている。フック状端部１９０６、１９０８は横幅の一部に沿ってのみ延在するので、部品１９００はフック状端部内にスロットまたは開口部（例えばスロット１８１４）を含む必要はない。レースの端部１３０２、１３０４の遠位端部は、フック状端部１９０６、１９０８から形成されたポケットまたはキャビティ１９１２内に配置することができる。
【００６９】
[0099]ここで図２０を参照すると、レース端部１３０２、１３０４をクロージャシステム１００のスプール１３０と連結するために使用されている図１６〜図１９の部品が示されている。スプール１３０は、ハウジング１２０の内部領域内に配置され、スプールのルーメン（図示せず）がハウジングの入口ポート１５０４および出口ポート１５０２と整列するようにハウジング１２０と整列する。レース端部１３０２、１３０４は、入口ポート１５０４を通り、スプールのルーメンを通り、そして出口ポート１５０２を通って挿入される。部品１６００は、レース端部１３０２、１３０４と連結されている。次いで、部品１６００およびレース１３００を、出口ポート１５０２を通してスプール１３０のルーメン内に引き込んで、レース端部１３０２、１３０４をスプール１３０およびクロージャシステム１００と動作可能に連結することができる。
【００７０】
[0100]ここで図２１ａおよび図２１ｂを参照すると、図１２ａ〜図１４および図１６〜図１９のレース連結部品のさらなる使用が示されている。図２１ａ〜図２１ｂでは、レース連結部品は符号２１００で識別されているが、レース連結部品２１００は、図１２ａ〜図１４および図１６〜図１９に図示および説明されている部品のいずれを表してもよいことを理解されたい。
【００７１】
[0101]部品２１００は、レースが破断したときに物品の締め付けを維持するレース停止部材として図２１ａ〜ｂで使用されている。図２１ａでは、クロージャシステム１００が靴などの物品２１２０に取り付けられている。レース１３００は、クロージャシステム１００の動作がレース１３００内の張力を調整し、それによって物品２１２０の締め付けを調整するように、クロージャシステム１００と動作可能に連結される。レース１３００は、複数のガイド部材２１０２を介して物品２１２０に沿ったレース経路の周りを誘導される。ガイド部材２１０２は、最小限の摩擦干渉でレース１３００がガイド部材２１０２に対してスライド、シフト、または移動することを可能にするように構成される。
【００７２】
[0102]部品２１００は、レース経路の遠位端部付近の２つのガイド部材２１０２の間に配置されるように、レース１３００に連結される。部品２１００は、部品２１００の開口部を通してレースを挿入することなどによって、本明細書で説明するようにレース１３００と連結される。部品２１００は、レース１３００を部品２１００と容易に連結できるように十分に可撓性であるが、動作中にレース１３００の周りに固定されたままであるように十分に剛性である。部品２１００は、通常、レース１３００の両端部の間で等距離に配置されるが、必要に応じて他の位置に配置されてもよい。いくつかの実施形態では、部品２１００の外面は、所望の視覚的魅力を提供するためにロゴまたは他の印を含むことができる。
【００７３】
[0103]図２１ｂは、レース１３００の破断時にレース１３００内の張力を維持するために利用されている部品２１００を示す。具体的には、レース１３００が破断すると、レース１３００および物品２１２０の張力により、レース１３００がレースガイド２１０２を通ってシフトしスライドする。部品２１００はレース１３００の周りに固定されているので、レース１３００を、レースガイド２１０２を通してスライドさせると、部品２１００がレースガイド２１０２のうちの１つと接触して係合する。スプール１３０のルーメン１５００と同様に、部品２１００は、レースガイド２１０２のチャネルまたは開口部よりも大きく、したがって、部品２１００は、レースガイド２１０２のチャネルもしくは開口部の中でまたはそれらを通ってスライドすることができない。むしろ、部品２１００はレースガイド２１０２にくさび留めおよび／または固定され、それによりレース１３００がレースガイド２１０２を通ってさらにスライドまたはシフトするのを防止する。物品２１２０は、レース１３００が壊れているためにわずかに緩んでそれほど安全でないかもしれないが、しかし、そうでなければレース１３００が壊れているために生じるであろうよりも実質的に締まっており安全であろう。さらに、部品２１００をレースガイド２１０２の周りに固定した状態で、クロージャシステム１００を動作させてレース１３００をさらに緊張させ、物品２１２０を締め付けることができる。
【００７４】
[0104]ここで図２２を参照すると、リール式システム２２００のノブまたはハウジング２２０３と枢動可能に連結することができるキャップ２２０２を含むリール式クロージャシステム２２００が示されている。キャップ２２０２は、環状またはドーム形のリングの形状であってもよい。動作中、キャップ２２０２は枢動点を中心に後方に折り畳まれる。次いで、キャップ２２０２を使用してリール式クロージャシステム２２００のノブを回転させる。例えば、キャップ２２０２は、リール式クロージャシステム２２００のノブまたは別の部品を回転させるためのハンドルとして使用することができる。いくつかの例では、キャップ２２０２は、キャップ２２０２の回転がリール式クロージャシステム２２００内でスプールの回転を直接引き起こすようにスプール（図示せず）と動作可能に連結されてもよい。キャップ２２０２は、ユーザの指を収容するように構成されているか、そうでなければキャップ２２０２を容易に握って回転させることを可能にする凹んだ中央部分２２０４を有することができる。他の実施形態では、リール式クロージャシステム２２００は、レバー式、ヒンジ式部品、巻取り式部品、またはリール式クロージャシステム２２００のノブもしくはスプールを回転させるのに役立つ他の何らかの部品を含むことができる。いくつかの実施形態では、キャップ２２０２が閉位置にあるとき、締め付けまたは緩み方向へのノブまたはスプールの回転を禁止することができる。
【００７５】
[0105]ここで図２３ａ〜図２３ｃを参照すると、可逆ノブ２３０２を含むリール式クロージャシステム２３００が示されている。具体的には、ノブ２３０２は、２つの位置または構成の間でノブ２３０２を反転させることを可能にする可撓性または弾性の材料から作られる。第１の構成では、ノブ２３０２は、比較的薄型でドーム形であってもよい。薄型構成では、ノブ２３０２の内側縁部またはリップ２３０４は、靴または物品の外面に接してまたはそれに隣接して配置されてもよい。ノブ２３０２のドーム型または薄型の形状は、リール式クロージャシステム２３００を隠すのを助け、システムまたはノブ２３０２の偶発的な開放または操作を防止し、それによってシステムまたはノブ２３０２へのアクセスを最小限に抑えることができる。ノブ２３０２を反転させるために、ユーザは自分の指または別の物体をノブ２３０２のリップまたは縁部２３０４の下に置き、ノブ２３０２の外側縁部を上方に引張ることができる。ノブ２３０２は、リップまたは縁部２３０４がユーザにとって容易にアクセス可能である外側に拡張した構成に跳ねるかまたは曲がることができる。ユーザは、ノブ２３０２を回転させ、それによってシステムの引張部材（図示せず）を引張るために、リップまたは縁部２３０４を掴むことができる。リップまたは縁部２３０４は、外側に拡張した構成で握りやすく、かつ薄型の構成で靴または物品の表面を掴む粘着性材料で作られてもよい。ノブ２３０２は、ユーザが拡張構成でノブ２３０２を握って回転できるように十分に剛性であるが、説明したようにノブ２３０２を反転できるように十分に柔軟な材料で作られるべきである。いくつかの事例では、ノブ２３０２は、拡張構成にあるときにのみ回転するように構成されてもよく、これはさらにシステムの偶発的な操作を最小限に抑えることができる。
【００７６】
[0106]ここで図２４ａ〜図２４ｂを参照すると、リール式クロージャシステムの偶発的な操作および／またはレース／引張部材の緩みもしくは締め付けを防止または最小化するためにリール式クロージャシステム２４００の上に配置することができるストラップ２４０２が示される。ストラップ２４０２は、靴または物品に取り付けられる固定端部と、リール式クロージャシステム２４００を覆って折り畳み可能な自由端部と、を含む。自由端部は、リール式システム２４００上で折り畳まれた後に靴または物品に固定可能である。いくつかの実施形態では、ストラップ２４０２は、リール式クロージャシステム２４００を収容するようにサイズおよび形状が決められた凹部またはガレージ２４０４を含む。具体的には、凹部２４０４は、リール式クロージャシステム２４００が凹部領域内に容易に収まるように構成され、それは、ストラップ２４０２がリール式クロージャシステム２４００に、下にある足に不快または刺激を与える可能性がある下向きの圧力を加えるのを最小限にするかまたは防止する。ストラップ２４０２の固定端部は、ストラップ２４０２が靴または物品の周りに折り畳まれたときに凹部またはガレージ２４０４がリール式クロージャシステムの真上に確実に配置されるように、通常、可撓性がより低い材料で作られている。
【００７７】
[0107]他の実施形態では、靴の異なる部分（例えば、舌）をリール式クロージャシステムの上に折り畳むことができ、またはリール式クロージャシステムを覆い隠すために一対のバーもしくはストラップ、および剛性部材などの他の部品を使用することができる。
【００７８】
[0108]ここで図２５ａ〜図２５ｂを参照すると、下にある物品２５０２または靴２５０４と色および／またはパターンが一致するように構成されたリール式クロージャシステム２５００が示されている。具体的には、リール式クロージャシステム２５００のノブの上面は、物品または靴の色および／またはパターンに合うようにＵＶ塗装されてもよい。ノブの一致した色および／またはパターンは、リール式クロージャシステム２５００が物品または靴の一体型部品として見えるようにすることを可能にすることができる。色および／またはパターンを一致させる能力は、物品２５０２または靴２５０４に望ましい審美的外観を与えることができる。
【００７９】
[0109]ここで図２６ａ〜図２６ｄを参照すると、靴の周りのリール式クロージャシステムの代替的な配置が示されている。図２６ａ〜図２６ｂでは、リール式クロージャシステム２６０２が靴２６００の底面に配置されている。リール式クロージャシステム２６０２は、靴２６００の底面のほぼ中間点に配置されているように示されているが、他の実施形態では、リール式クロージャシステム２６０２は、靴２６００の踵または最前部の近くに配置することができる。リール式クロージャシステム２６０２は、ユーザが歩くまたは靴を履くときにリール式クロージャシステム２６０２のノブの頂部が地面に接触するのを防止するように、靴の底面の凹状領域２６０４内に配置することができる。凹状領域２６０４は、ユーザが凹状領域内でノブを容易に握って回転させることができるように十分に幅広くすることができる。リール式クロージャシステム２６０２を靴２６００の底部に配置することは、リール式クロージャシステム２６０２を見えないように隠すまたは隠蔽し、またリール式クロージャシステム２６０２の偶発的な操作を防止することもできる。
【００８０】
[0110]図２６ｃ〜図２６ｄは、靴２６１０の底部に配置された別のリール式クロージャシステム２６１２を示している。図２６ａ〜図２６ｂのシステムと同様に、図２６ｃ〜図２６ｄのリール式クロージャシステム２６１２は、必要に応じて凹状領域内に配置することができる。リール式クロージャシステム２６１２は、トルク入力機構として使用するために構成されたスロットまたはキー２６１４を含む。リール式クロージャシステム２６１２は、ノブがスロットまたはキー２６１４を介してのみ回転可能となり得るように構成することができる。いくつかの例では、スロットまたはキー２６１４は、ノブを回転させる入力トルクを提供するために、クォーターまたはドライバなどの一般的な物体がスロットまたはキー２６１４内に挿入することができるような形状およびサイズであってもよい。他の実施形態では、スロットまたはキー２６１４は専用ツールの使用を必要とするように設計されてもよい。いくつかの事例では、靴２６１０は、リール式クロージャシステム２６１２を操作するために必要とされるまたは使用されるツールを含むことができる。例えば、靴２６１０に取り付けられるストラップ２６２０の遠位端部２６２２は、ストラップ２６２０の遠位端部２６２２がリール式クロージャシステム２６１２のスロットまたはキー２６１４内に挿入することができるような形状およびサイズであってもよい。ストラップ２６２０の遠位端部２６２２は、入力トルクをリール式クロージャシステム２６１２に加えることを可能にするために比較的剛性であってもよい。ストラップ２６２０の遠位端部２６２２は、面ファスナー、機械的ファスナー、磁石などを介して靴２６１０に取り付けることができる。他の例では、スロットまたはキー２６１４に使用されるキーまたはツールは、靴２６１０に取り外し可能に取り付けることができる。
【００８１】
[0111]ここで図２７ａ〜図２７ｂを参照すると、スプールを回転させ、それによってリール式クロージャシステム２７００のレース／引張部材を緊張させるために使用される外側または環状リング２７０２を含むリール式クロージャシステム２７００が示されている。リング２７０２は、係合状態またはロック状態と係合解除状態またはアンロック状態との間で軸方向に移動可能である。例えば、リング２７０２は、最初は、レースにかかる張力が維持されている、および／またはレースをさらに緊張もしくは弛緩させるように動作不能である、係合またはロック状態にあってもよい。システムをアンロックまたは係合解除するために、ノブの中央部分または部材２７０４を軸方向下方に押す（またはリング２７０２を軸方向上方に引張る）ことができ、リング２７０２をノブの中央部または部材２７０４から軸方向上方に延在させる（例えば、軸方向上方に跳ねさせるまたはポップさせる）。システムが係合解除されると、レース／引張部材の張力が自動的に解放されるか、またはレース／引張部材の張力を漸増的に締め付けまたは緩めるためにリング２７０２が使用されてもよい。レース／引張部材を漸増的に締め付けまたは緩めるために、リング２７０２を時計回りまたは反時計回りの方向に回転させることができる。所望のレース張力が達成されるか、またはレース張力が完全に解放されると、リング２７０２がノブの中央部分または部材２７０４と整列するように、リング２７０２を軸方向下方に押すことができ、これはシステムをロックまたは係合し、レース／引張部材の張力を維持する。
【００８２】
[0112]ここで図２８ａ〜図２８ｂを参照すると、引張コード部品と回転部品の両方を含むリール式クロージャシステム２８００が示されている。引張コード部品は、レース２８０４に張力をかけるために用いられ、一方、回転部品は、レースを巻き取るために、および／またはひも２８０４にさらに張力をかけるために用いられる。引張コード部品は、レース２８０４の遠位端部に連結または取り付けられた引張タブ２８０２を含む。レースは、回転部品のハウジング２８０３およびスプール２８０６部品を通してスライド可能に配置される。レース２８０４を引張るために、ユーザは引張タブ２８０２を掴んで遠位方向に引張り、それによりレース２８０４が回転部品のハウジング２８０３およびスプール２８０６を通して引張られる。次に、回転部品のノブ（図示せず）を回転させて、ハウジング２８０３内でスプール２８０６を回転させることができ、これにより、レース２８０４がスプール２８０６の周りに巻き付けられる。引張タブ２８０２がハウジング２８０３の外面に隣接して配置されるまでノブを回転させることができる。いくつかの事例では、スプール２８０６の周りにレース２８０４を巻くことによっても、レース２８０４にさらに張力がかかり、それによってリール式クロージャシステム２８００が使用されている靴または物品をさらに締め付けることができる。
【００８３】
[0113]引張コード部品は、主にレース２８０４を引張るために使用されてもよく、一方、回転部品は、余分なレースが周囲の物体に干渉したり絡み合ったりしないようにするために主にレース管理に使用される。システムの解放または緩めは、記載されているのとは逆の方法で起こり得る。例えば、ノブを逆回転させて、レース２８０４をスプール２８０６から引き出すことができる。レース２８０４は、それがハウジング２８０３およびスプール２８０６を通って自由にスライドすることができるようになるまで引き出されてもよく、その時点でレース張力は緩められてもよい。
【００８４】
[0114]図２９を参照すると、引張部材をリール式クロージャ装置と連結する方法２９００が示されている。ブロック２９１０において、引張部材がリール式クロージャ装置のスプール部品のチャネルを通して挿入される。ブロック２９２０において、引張部材の遠位端部が、引張部材とは別個であって、引張部材の遠位端部の周りに連結部品を固定するために引張部材の遠位端部と摩擦係合する連結部品と連結される。連結部品は、引張部材に結び目を作ることを必要とせずに、かつ引張部材の他の変更を必要とせずに、引張部材と摩擦係合する。連結部品はまた、連結部品が引張部材に固定された後に引張部材のトリミングまたは切断が必要とされないように、引張部材の遠位端部と摩擦係合する。ブロック２９３０において、連結部品がチャネルと係合し、それによって引張部材がスプール部品のチャネルを通して引張られるのを防止するように、スプール部品のチャネルを通して引張部材が引き込まれる。
【００８５】
[0115]本明細書に記載されるように、連結部品は、少なくとも１つの開口部を有する本体を含む。したがって、引張部材の遠位端部を連結部品と連結するステップは、引張部材の遠位端部を連結部品と摩擦係合するように開口部を通して引張部材の遠位端部を挿入するステップを含む。いくつかの実施形態では、本体は少なくとも２つの開口部を含む。そのような実施形態では、本方法は、引張部材を連結部品と摩擦係合するように、引張部材の遠位端部を本体の各開口部を通して挿入するステップを含むことができる。他の実施形態では、本方法は、連結部品が引張部材の両端にしっかりと固定されるように、引張部材の両端を１つの開口部を通して挿入するステップを含むことができる。連結部品がスプール部品の円筒体部材の外壁を越えて半径方向外側に延在しないように、引張部材をスプール部品のチャネル内に引き込むことができる。
【００８６】
[0116]次に図３０を参照すると、リール式クロージャシステムの組み立て方法３０００が示されている。ブロック３０１０では、リール式クロージャシステムが提供される。リール式クロージャシステムは、内部領域を画定するベース部材と、ハウジング部品と、ハウジング部品内に回転可能に配置されたスプール部品と、ハウジング部品と回転可能に連結された締め付け部品であって、締め付け部品の操作時にスプール部品をハウジング部品内で回転させるようにスプール部品と動作可能に連結された締め付け部品と、を含む。ブロック３０２０では、ハウジング部品の底端部がベース部材の内部領域内に軸方向に挿入される。ブロック３０３０では、ハウジング部品をベース部材の周りに固定するために、ハウジング部品がベース部材に対して回転される。ハウジング部品がベース部材に固定された後に、ハウジング部品は、ベース部材に対するハウジング部品の逆回転を必要とせずにベース部材から取り外し可能である。
【００８７】
[0117]ハウジング部品に力を加えることによりハウジング部品がベース部材の内部領域から軸方向に移動して、ハウジング部品がベース部品から取り外し可能であり得る。ベース部材に対するハウジング部品の軸方向の移動は、ベース部材の少なくとも一部分の撓みを必要とし得る。ベース部材は、一対のポートまたはチャネルを含むことができ、そのような実施形態では、本方法はまた、各ポートまたはチャネル内に力印加ツールを挿入するステップと、力適用ツールを介してハウジング部品に力を加えて、ハウジング部品をベース部材に対して軸方向に移動させるステップと、を含むことができる。ハウジング部品の底端部をベース部材の内部領域内に軸方向に挿入するステップは、ハウジング部品の半径方向に延在する複数のタブをベース部材の対応する半径方向に延在するチャネル内に挿入するステップを含むことができる。そのような実施形態では、ベース部材に対するハウジング部品の回転により、半径方向に延在する各タブがベース部材のリップまたは突起部の下に移動することができる。
【００８８】
[0118]ベース部材およびハウジング部品は、ハウジング部品をベース部材と連結するために、ハウジング部品がいくつかの定義された向きのうちの１つでベース部材と整列しなければならないように構成することができる。ベース部材およびハウジング部品は、ハウジング部品がベース部材の内部領域内にいくつかの定義された向きのうちの１つ以外の向きで軸方向に挿入された場合に、ベース部材に対するハウジング部品の回転を防止するように構成することができる。
【００８９】
[0119]ここで図３１を参照すると、リール式クロージャ装置を組み立てる方法３１００が示されている。ブロック３１１０では、駆動部品が締め付け部品と連結される。ブロック３１２０では、締め付け部品が、駆動部品がハウジング部品の内部領域に面するように、ハウジング部品の頂端部と連結される。ブロック３１３０では、スプール部品の頂端部が駆動部品の底面に面するように、ハウジング部品内にスプール部品が挿入される。ブロック３１４０では、連結部品の中央ボスがハウジング部品の内部領域内に延在するように、連結部品がハウジング部品の底端部に連結される。連結部品は、中央ボスから半径方向外側に延在し、ハウジング部品の底端部に取り付けられる一対のアームを含み、各アームの遠位端部は、上方に湾曲し、一対のアームがハウジング部品の底端部に取り付けられたときにハウジング部品と取り外し可能に連結するリップまたはタブを含む。
【００９０】
[0120]いくつかの実施形態では、本方法はまた、スプール部品の開口部および駆動部品の開口部を通して中央ボスを挿入するステップを含むことができる。そのような実施形態では、中央ボスの頂端部は、駆動部品の開口部の直径よりも大きい直径を有する環状突起を含むことができる。いくつかの実施形態では、ハウジング部品内にスプール部品を挿入するステップは、ハウジング部品の底端部内にスプール部品を挿入するステップを含む。いくつかの実施形態では、中央ボスは、軸方向に延在する隙間を含むことができる。そのような実施形態では、本方法はまた、中央ボスの軸方向に延在する隙間内に補強ばねを挿入するステップを含むことができる。締め付け部品をハウジング部品の頂端部と連結するステップは、締め付け部品のリップをハウジング部品の対応するリップの上にスナップ留めするステップを含むことができる。
【００９１】
[0121]様々な部品のいくつかの実施形態および配置が本明細書に記載されているが、様々な実施形態に記載された様々な部品および／または部品の組み合わせは修正、再配置、変更、調整などが可能であることを理解すべきである。例えば、記載された実施形態のいずれかにおける部品の配置は調整または再配置されてもよく、および／または様々な記載された部品はそれらが現在記載または採用されていない実施形態のいずれにも使用することができる。したがって、様々な実施形態は、本明細書に記載の特定の構成および／または部品構造に限定されないことを理解されたい。
【００９２】
[0122]さらに、本明細書に開示した特徴および要素の任意の実行可能な組み合わせもまた開示されるものとみなされることを理解されたい。さらに、本開示の実施形態に関して特徴が説明されていないときはいつでも、当業者はこれにより、本発明のいくつかの実施形態がそのような特徴を暗黙的かつ具体的に除外することができ、それによって否定的な請求の限定に対する支持を提供することに気付く。
【００９３】
[0123]いくつかの実施形態を説明してきたが、本発明の趣旨から逸脱することなく様々な修正例、代替構造、および等価物を使用できることが当業者には理解されよう。さらに、本発明を不必要に曖昧にすることを避けるために、いくつかの周知のプロセスおよび要素は記載していない。したがって、上記の説明は、本発明の範囲を限定するものと解釈すべきではない。
【００９４】
[0124]ある範囲の値が提供される場合、文脈上明らかに別段の指示がない限り、その範囲の上限と下限の間の下限値の１０分の１までの各介在値もまた具体的に開示されることが理解される。記載した範囲内の任意の記載値または介在値と、その記載した範囲内の任意の他の記載値または介在値との間の各小さい範囲が包含される。これらのより狭い範囲の上限および下限は独立して範囲に含まれるか除外されてもよく、記載された範囲内の任意の具体的に除外された限界を条件として、いずれか、どちらもないか、または両方の制限がより小さな範囲に含まれる各範囲もまた本発明内に包含される。記載された範囲が限界の一方または両方を含む場合、それらの含まれた限界のいずれかまたは両方を除外した範囲も含まれる。
【００９５】
[0125]本明細書および添付の特許請求の範囲で使用されるように、単数形「ａ」、「ａｎ」、および「ｔｈｅ」は、文脈が明らかにそうでないと指示しない限り、複数の指示対象を含む。したがって、例えば、「１つのプロセス」への言及は複数のそのようなプロセスを含み、「１つの装置」への言及は１つまたは複数の装置および当業者に知られているそれらの均等物などへの言及を含む。
【００９６】
[0126]また、本明細書および添付の特許請求の範囲で使用されるときの「備える（ｃｏｍｐｒｉｓｅ，ｃｏｍｐｒｉｓｉｎｇ）」および「含む（ｉｎｃｌｕｄｅ，ｉｎｃｌｕｄｉｎｇ，ｉｎｃｌｕｄｅｓ）」という用語は、述べられた特徴、整数、部品、またはステップの存在を特定することを意図しているが、しかし、それらは、１つまたは複数の他の特徴、整数、部品、ステップ、動作、またはグループの存在または追加を排除するものではない。
【図１】
2019536581.tif 000003
【図２ａ】
2019536581.tif 000004
【図２ｂ】
2019536581.tif 000005
【図３】
2019536581.tif 000006
【図４ａ】
2019536581.tif 000007
【図４ｂ】
2019536581.tif 000008
【図５ａ】
2019536581.tif 000009
【図５ｂ】
2019536581.tif 000010
【図６ａ】
2019536581.tif 000011
【図６ｂ】
2019536581.tif 000012
【図７】
2019536581.tif 000013
【図７ａ】
2019536581.tif 000014
【図７ｂ】
2019536581.tif 000015
【図７ｃ】
2019536581.tif 000016
【図７ｄ】
2019536581.tif 000017
【図８ａ】
2019536581.tif 000018
【図８ｂ】
2019536581.tif 000019
【図９】
2019536581.tif 000020
【図１０】
2019536581.tif 000021
【図１１】
2019536581.tif 000022
【図１２ａ】
2019536581.tif 000023
【図１２ｂ】
2019536581.tif 000024
【図１３ａ】
2019536581.tif 000025
【図１３ｂ】
2019536581.tif 000026
【図１４】
2019536581.tif 000027
【図１５ａ】
2019536581.tif 000028
【図１５ｂ】
2019536581.tif 000029
【図１５ｃ】
2019536581.tif 000030
【図１５ｄ】
2019536581.tif 000031
【図１５ｅ】
2019536581.tif 000032
【図１５ｆ】
2019536581.tif 000033
【図１６】
2019536581.tif 000034
【図１７】
2019536581.tif 000035
【図１８】
2019536581.tif 000036
【図１９】
2019536581.tif 000037
【図２０】
2019536581.tif 000038
【図２１ａ】
2019536581.tif 000039
【図２１ｂ】
2019536581.tif 000040
【図２２】
2019536581.tif 000041
【図２３ａ】
2019536581.tif 000042
【図２３ｂ】
2019536581.tif 000043
【図２３ｃ】
2019536581.tif 000044
【図２４ａ】
2019536581.tif 000045
【図２４ｂ】
2019536581.tif 000046
【図２５ａ】
2019536581.tif 000047
【図２５ｂ】
2019536581.tif 000048
【図２６ａ】
2019536581.tif 000049
【図２６ｂ】
2019536581.tif 000050
【図２６ｃ】
2019536581.tif 000051
【図２６ｄ】
2019536581.tif 000052
【図２７ａ】
2019536581.tif 000053
【図２７ｂ】
2019536581.tif 000054
【図２８ａ】
2019536581.tif 000055
【図２８ｂ】
2019536581.tif 000056
【図２９】
2019536581.tif 000057
【図３０】
2019536581.tif 000058
【図３１】
2019536581.tif 000059
【国際調査報告】
2019536581.tif 000060
2019536581.tif 000061
2019536581.tif 000062
2019536581.tif 000063
2019536581.tif 000064